(57)【要約】  無線デバイス（３１０）における方法が開示される。方法は、動作帯域における無線周波数（ＲＦ）キャリアの同期チャネル部分を特定すること（７０４）を含む。方法は、ＲＦキャリアの特定された同期チャネル部分に対する、動作帯域におけるＲＦキャリアの位置を決定するのに用いるシステム情報を取得すること（７０８）を含む。方法は、ＲＦキャリアの特定された同期チャネル部分に対する、動作帯域におけるＲＦキャリアの位置を、取得されたシステム情報に基づいて、決定すること（７１２）を含む。【選択図】図４
2020515128.tif 000002
【特許請求の範囲】
【請求項１】
無線デバイス（３１０）における方法（７００）であって、
動作帯域における無線周波数（ＲＦ）キャリアの同期チャネル部分を特定すること（７０４）と、
前記ＲＦキャリアの前記特定された同期チャネル部分に対する、前記動作帯域における前記ＲＦキャリアの位置を決定するのに用いるシステム情報を取得すること（７０８）と、
前記ＲＦキャリアの前記特定された同期チャネル部分に対する、前記動作帯域における前記ＲＦキャリアの前記位置を、前記取得されたシステム情報に基づいて、決定すること（７１２）と、を含む方法。
【請求項２】
前記動作帯域における前記ＲＦキャリアの前記同期チャネル部分を特定することが、
前記ＲＦキャリアの前記同期チャネル部分に関連付けられた同期チャネルラスタに基づいて複数の所定の同期ラスタポイントを決定することであって、前記複数の所定の同期ラスタポイントのそれぞれが、前記ＲＦキャリアの前記同期チャネル部分の可能な位置を定義する、決定することと、
前記複数の所定の同期ラスタポイントのうちのひとつ以上に対してセルサーチを実行することによって、前記ＲＦキャリアの前記同期チャネル部分を特定することと、を含む請求項１に記載の方法。
【請求項３】
システム情報を取得することが、システム情報メッセージを受信することを含む請求項１または２に記載の方法。
【請求項４】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項１から３のいずれか一項に記載の方法。
【請求項５】
前記システム情報の少なくとも一部は前記ＰＢＣＨに含まれる請求項４に記載の方法。
【請求項６】
前記取得されたシステム情報が、ひとつ以上のオフセット値を含む請求項１から５のいずれか一項に記載の方法。
【請求項７】
前記ひとつ以上のオフセット値が、少なくとも、前記ＲＦキャリアの前記同期チャネル部分から前記ＲＦキャリアの中心周波数までのオフセットを定義する第１オフセット値を含む請求項６に記載の方法。
【請求項８】
前記ＲＦキャリアの前記中心周波数が前記ＲＦキャリアに関連付けられたキャリアラスタのキャリアラスタポイントに対応する請求項７に記載の方法。
【請求項９】
以下のうちのひとつ以上を、前記取得されたシステム情報に基づいて決定することをさらに含む請求項１から８のいずれか一項に記載の方法。
前記ＲＦキャリアの帯域幅と；
ひとつ以上のデータチャネルのサブキャリア間隔。
【請求項１０】
前記ＲＦキャリアを介したネットワークノードとの接続を確立することを含む請求項１から９のいずれか一項に記載の方法。
【請求項１１】
別の周波数の別のＲＦキャリアへのハンドオーバを行う指示を受信することを含む請求項１０に記載の方法。
【請求項１２】
前記動作帯域における前記ＲＦキャリアの前記位置がライセンスブロック内で中心になく、
前記方法はさらに、直交周波数分割多重（ＯＦＤＭ）シンボルの切り詰められた伝送を受信することを含み、前記切り詰められた伝送が、前記伝送の少なくとも一方の側でブランクされたひとつ以上のサブキャリアを含む請求項１から１１のいずれか一項に記載の方法。
【請求項１３】
前記動作帯域における前記ＲＦキャリアの前記位置がライセンスブロック内で中心になく、
前記方法はさらに、直交周波数分割多重（ＯＦＤＭ）シンボルの切り詰められた伝送を送信することを含み、前記切り詰められた伝送が、前記伝送の少なくとも一方の側でブランクされたひとつ以上のサブキャリアを含む請求項１から１２のいずれか一項に記載の方法。
【請求項１４】
ネットワークノード（３１５）における方法（８００）であって、
動作帯域におけるＲＦキャリアの、前記ＲＦキャリアの同期チャネル部分に対する位置を決定するために無線デバイス（３１０）によって用いられるシステム情報を決定すること（８０４）と、
前記決定されたシステム情報を前記無線デバイスに送信すること（８０８）と、を含む方法。
【請求項１５】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項１４に記載の方法。
【請求項１６】
前記決定されたシステム情報を前記無線デバイスに送信することが、前記決定されたシステム情報の少なくとも一部を、前記無線デバイスに、前記ＰＢＣＨにおいて送信することを含む請求項１５に記載の方法。
【請求項１７】
前記決定されたシステム情報が、ひとつ以上のオフセット値を含む請求項１４から１６のいずれか一項に記載の方法。
【請求項１８】
前記ひとつ以上のオフセット値が、少なくとも、前記ＲＦキャリアの前記同期チャネル部分から前記ＲＦキャリアの中心周波数までのオフセットを定義する第１オフセット値を含む請求項１７に記載の方法。
【請求項１９】
前記ＲＦキャリアの前記中心周波数が前記ＲＦキャリアに関連付けられたキャリアラスタのキャリアラスタポイントに対応する請求項１８に記載の方法。
【請求項２０】
前記決定されたシステム情報が、以下のうちのひとつ以上を含む請求項１４から１９のいずれか一項に記載の方法。
前記ＲＦキャリアの帯域幅と；
ひとつ以上のデータチャネルのサブキャリア間隔
【請求項２１】
前記ＲＦキャリアを介した前記無線デバイスとの接続を確立することを含む請求項１４から２０のいずれか一項に記載の方法。
【請求項２２】
別の周波数の別のＲＦキャリアへのハンドオーバを行う指示を前記無線デバイスに送信することを含む請求項２１に記載の方法。
【請求項２３】
前記動作帯域における前記ＲＦキャリアの前記位置がライセンスブロック内で中心になく、
前記方法はさらに、直交周波数分割多重（ＯＦＤＭ）シンボルの切り詰められた伝送を受信することを含み、前記切り詰められた伝送が、前記伝送の少なくとも一方の側でブランクされたひとつ以上のサブキャリアを含む請求項１４から２１のいずれか一項に記載の方法。
【請求項２４】
前記動作帯域における前記ＲＦキャリアの前記位置がライセンスブロック内で中心になく、
前記方法はさらに、直交周波数分割多重（ＯＦＤＭ）シンボルの切り詰められた伝送を送信することを含み、前記切り詰められた伝送が、前記伝送の少なくとも一方の側でブランクされたひとつ以上のサブキャリアを含む請求項１４から２１のいずれか一項に記載の方法。
【請求項２５】
受信器（９１０、１２３０）と、
送信器（９１０、１２２０）と、
前記受信器と前記送信器とに結合された処理回路（９２０、１２１０）と、を備え、
前記処理回路は、
動作帯域における無線周波数（ＲＦ）キャリアの同期チャネル部分を特定すること（７０４）と、
前記ＲＦキャリアの前記特定された同期チャネル部分に対する、前記動作帯域における前記ＲＦキャリアの位置を決定するのに用いるシステム情報を取得すること（７０８）と、
前記ＲＦキャリアの前記特定された同期チャネル部分に対する、前記動作帯域における前記ＲＦキャリアの前記位置を、前記取得されたシステム情報に基づいて、決定すること（７１２）と、を行うよう構成される無線デバイス（３１０）。
【請求項２６】
前記動作帯域における前記ＲＦキャリアの前記同期チャネル部分を特定するよう前記処理回路が構成されることが、
前記ＲＦキャリアの前記同期チャネル部分に関連付けられた同期チャネルラスタに基づいて複数の所定の同期ラスタポイントを決定することであって、前記複数の所定の同期ラスタポイントのそれぞれが、前記ＲＦキャリアの前記同期チャネル部分の可能な位置を定義する、決定することと、
前記複数の所定の同期ラスタポイントのうちのひとつ以上に対してセルサーチを実行することによって、前記ＲＦキャリアの前記同期チャネル部分を特定することと、を行うよう前記処理回路が構成されることを含む請求項２５に記載の無線デバイス。
【請求項２７】
システム情報を取得するよう前記処理回路が構成されることが、前記受信器を介してシステム情報メッセージを受信することを行うよう前記処理回路が構成されることを含む請求項２５または２６に記載の無線デバイス。
【請求項２８】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項２５から２７のいずれか一項に記載の無線デバイス。
【請求項２９】
前記システム情報の少なくとも一部は前記ＰＢＣＨに含まれる請求項２８に記載の無線デバイス。
【請求項３０】
前記取得されたシステム情報が、ひとつ以上のオフセット値を含む請求項２５から２９のいずれか一項に記載の無線デバイス。
【請求項３１】
前記ひとつ以上のオフセット値が、少なくとも、前記ＲＦキャリアの前記同期チャネル部分から前記ＲＦキャリアの中心周波数までのオフセットを定義する第１オフセット値を含む請求項３０に記載の無線デバイス。
【請求項３２】
前記ＲＦキャリアの前記中心周波数が前記ＲＦキャリアに関連付けられたキャリアラスタのキャリアラスタポイントに対応する請求項３１に記載の無線デバイス。
【請求項３３】
前記処理回路が、さらに、以下のうちのひとつ以上を、前記取得されたシステム情報に基づいて決定するよう構成される請求項２５から３２のいずれか一項に記載の無線デバイス。
前記ＲＦキャリアの帯域幅と；
ひとつ以上のデータチャネルのサブキャリア間隔
【請求項３４】
前記処理回路が、さらに、前記ＲＦキャリアを介したネットワークノードとの接続を確立するよう構成される請求項２５から３３のいずれか一項に記載の無線デバイス。
【請求項３５】
前記処理回路は、別の周波数の別のＲＦキャリアへのハンドオーバを行う指示を、前記受信器を介して、受信するよう構成される請求項３４に記載の無線デバイス。
【請求項３６】
前記動作帯域における前記ＲＦキャリアの前記位置がライセンスブロック内で中心になく、
前記処理回路は、直交周波数分割多重（ＯＦＤＭ）シンボルの切り詰められた伝送を、前記受信器を介して、受信するよう構成され、前記切り詰められた伝送が、前記伝送の少なくとも一方の側でブランクされたひとつ以上のサブキャリアを含む請求項２５から３５のいずれか一項に記載の無線デバイス。
【請求項３７】
前記動作帯域における前記ＲＦキャリアの前記位置がライセンスブロック内で中心になく、
前記処理回路は、直交周波数分割多重（ＯＦＤＭ）シンボルの切り詰められた伝送を、前記送信器を介して、送信するよう構成され、前記切り詰められた伝送が、前記伝送の少なくとも一方の側でブランクされたひとつ以上のサブキャリアを含む請求項２５から３６のいずれか一項に記載の無線デバイス。
【請求項３８】
受信器（１０１０、１３３０）と、
送信器（１０１０、１３２０）と、
前記受信器と前記送信器とに結合された処理回路（１０２０、１３１０）と、を備え、
前記処理回路は、
動作帯域におけるＲＦキャリアの、前記ＲＦキャリアの同期チャネル部分に対する位置を決定するために無線デバイス（３１０）によって用いられるシステム情報を決定すること（８０４）と、
前記決定されたシステム情報を前記無線デバイスに、前記送信器を介して送信すること（８０８）と、を行うよう構成されるネットワークノード（３１５）。
【請求項３９】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項３８に記載のネットワークノード。
【請求項４０】
前記決定されたシステム情報を前記無線デバイスに送信するよう前記処理回路が構成されることが、前記決定されたシステム情報の少なくとも一部を、前記無線デバイスに、前記ＰＢＣＨにおいて、前記送信器を介して送信するよう前記処理回路が構成されることを含む請求項３９に記載のネットワークノード。
【請求項４１】
前記決定されたシステム情報が、ひとつ以上のオフセット値を含む請求項３８から４０のいずれか一項に記載のネットワークノード。
【請求項４２】
前記ひとつ以上のオフセット値が、少なくとも、前記ＲＦキャリアの前記同期チャネル部分から前記ＲＦキャリアの中心周波数までのオフセットを定義する第１オフセット値を含む請求項４１に記載のネットワークノード。
【請求項４３】
前記ＲＦキャリアの前記中心周波数が前記ＲＦキャリアに関連付けられたキャリアラスタのキャリアラスタポイントに対応する請求項４２に記載のネットワークノード。
【請求項４４】
前記決定されたシステム情報が、以下のうちのひとつ以上を含む請求項３８から４３のいずれか一項に記載のネットワークノード。
前記ＲＦキャリアの帯域幅と；
ひとつ以上のデータチャネルのサブキャリア間隔
【請求項４５】
前記処理回路が、さらに、前記ＲＦキャリアを介した前記無線デバイスとの接続を確立するよう構成される請求項３８から４４のいずれか一項に記載のネットワークノード。
【請求項４６】
前記処理回路は、さらに、別の周波数の別のＲＦキャリアへのハンドオーバを行う指示を、前記無線デバイスに、前記送信器を介して、送信するよう構成される請求項４５に記載のネットワークノード。
【請求項４７】
前記動作帯域における前記ＲＦキャリアの前記位置がライセンスブロック内で中心になく、
前記処理回路は、直交周波数分割多重（ＯＦＤＭ）シンボルの切り詰められた伝送を、前記受信器を介して、受信するよう構成され、前記切り詰められた伝送が、前記伝送の少なくとも一方の側でブランクされたひとつ以上のサブキャリアを含む請求項３８から４６のいずれか一項に記載のネットワークノード。
【請求項４８】
前記動作帯域における前記ＲＦキャリアの前記位置がライセンスブロック内で中心になく、
前記処理回路は、直交周波数分割多重（ＯＦＤＭ）シンボルの切り詰められた伝送を、前記送信器を介して、送信するよう構成され、前記切り詰められた伝送が、前記伝送の少なくとも一方の側でブランクされたひとつ以上のサブキャリアを含む請求項３８から４７のいずれか一項に記載のネットワークノード。
【請求項４９】
コンピュータプログラムであって、前記コンピュータプログラムは、
動作帯域における無線周波数（ＲＦ）キャリアの同期チャネル部分を特定すること（７０４）と、
前記ＲＦキャリアの前記特定された同期チャネル部分に対する、前記動作帯域における前記ＲＦキャリアの位置を決定するのに用いるシステム情報を取得すること（７０８）と、
前記ＲＦキャリアの前記特定された同期チャネル部分に対する、前記動作帯域における前記ＲＦキャリアの前記位置を、前記取得されたシステム情報に基づいて、決定すること（７１２）と、を行うよう構成されたインストラクションを含むコンピュータプログラム。
【請求項５０】
前記動作帯域における前記ＲＦキャリアの前記同期チャネル部分を特定することを行うよう前記インストラクションが構成されることが、
前記ＲＦキャリアの前記同期チャネル部分に関連付けられた同期チャネルラスタに基づいて複数の所定の同期ラスタポイントを決定することであって、前記複数の所定の同期ラスタポイントのそれぞれが、前記ＲＦキャリアの前記同期チャネル部分の可能な位置を定義する、決定することと、
前記複数の所定の同期ラスタポイントのうちのひとつ以上に対してセルサーチを実行することによって、前記ＲＦキャリアの前記同期チャネル部分を特定することと、を行うよう前記インストラクションが構成されることを含む請求項４９に記載のコンピュータプログラム。
【請求項５１】
システム情報を取得することを行うよう前記インストラクションが構成されることが、
システム情報メッセージを受信すること、を行うよう前記インストラクションが構成されることを含む請求項４９または５０に記載のコンピュータプログラム。
【請求項５２】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項４９から５１のいずれか一項に記載のコンピュータプログラム。
【請求項５３】
前記システム情報の少なくとも一部は前記ＰＢＣＨに含まれる請求項５２に記載のコンピュータプログラム。
【請求項５４】
前記取得されたシステム情報が、ひとつ以上のオフセット値を含む請求項４９から５３のいずれか一項に記載のコンピュータプログラム。
【請求項５５】
前記ひとつ以上のオフセット値が、少なくとも、前記ＲＦキャリアの前記同期チャネル部分から前記ＲＦキャリアの中心周波数までのオフセットを定義する第１オフセット値を含む請求項５４に記載のコンピュータプログラム。
【請求項５６】
前記ＲＦキャリアの前記中心周波数が前記ＲＦキャリアに関連付けられたキャリアラスタのキャリアラスタポイントに対応する請求項５５に記載のコンピュータプログラム。
【請求項５７】
前記取得されたシステム情報に基づいて、以下のうちのひとつ以上を決定することを行うよう構成されたインストラクションさらに含む請求項４９から５６のいずれか一項に記載のコンピュータプログラム。
前記ＲＦキャリアの帯域幅と；
ひとつ以上のデータチャネルのサブキャリア間隔
【請求項５８】
前記ＲＦキャリアを介したネットワークノードとの接続を確立することを行うよう構成されたインストラクションさらに含む請求項４９から５７のいずれか一項に記載のコンピュータプログラム。
【請求項５９】
別の周波数の別のＲＦキャリアへのハンドオーバを行う指示を受信することを行うよう構成されたインストラクションさらに含む請求項５８に記載のコンピュータプログラム。
【請求項６０】
前記動作帯域における前記ＲＦキャリアの前記位置がライセンスブロック内で中心になく、
前記コンピュータプログラムはさらに、直交周波数分割多重（ＯＦＤＭ）シンボルの切り詰められた伝送を受信するよう構成されたインストラクションを含み、前記切り詰められた伝送が、前記伝送の少なくとも一方の側でブランクされたひとつ以上のサブキャリアを含む請求項４９から５９のいずれか一項に記載のコンピュータプログラム。
【請求項６１】
前記動作帯域における前記ＲＦキャリアの前記位置がライセンスブロック内で中心になく、
前記コンピュータプログラムはさらに、直交周波数分割多重（ＯＦＤＭ）シンボルの切り詰められた伝送を送信するよう構成されたインストラクションを含み、前記切り詰められた伝送が、前記伝送の少なくとも一方の側でブランクされたひとつ以上のサブキャリアを含む請求項４９から６０のいずれか一項に記載のコンピュータプログラム。
【請求項６２】
コンピュータプログラム製品であって、前記コンピュータプログラム製品が非一時的コンピュータ可読ストレージ媒体を含み、前記非一時的コンピュータ可読ストレージ媒体がコンピュータプログラムを含み、前記コンピュータプログラムがコンピュータ実行可能インストラクションを含み、前記コンピュータ実行可能インストラクションは、プロセッサで実行された場合、
動作帯域における無線周波数（ＲＦ）キャリアの同期チャネル部分を特定すること（７０４）と、
前記ＲＦキャリアの前記特定された同期チャネル部分に対する、前記動作帯域における前記ＲＦキャリアの位置を決定するのに用いるシステム情報を取得すること（７０８）と、
前記ＲＦキャリアの前記特定された同期チャネル部分に対する、前記動作帯域における前記ＲＦキャリアの前記位置を、前記取得されたシステム情報に基づいて、決定すること（７１２）と、を行うよう構成されるコンピュータプログラム製品。
【請求項６３】
前記動作帯域における前記ＲＦキャリアの前記同期チャネル部分を特定することを行うよう前記インストラクションが構成されることが、
前記ＲＦキャリアの前記同期チャネル部分に関連付けられた同期チャネルラスタに基づいて複数の所定の同期ラスタポイントを決定することであって、前記複数の所定の同期ラスタポイントのそれぞれが、前記ＲＦキャリアの前記同期チャネル部分の可能な位置を定義する、決定することと、
前記複数の所定の同期ラスタポイントのうちのひとつ以上に対してセルサーチを実行することによって、前記ＲＦキャリアの前記同期チャネル部分を特定することと、を行うよう前記インストラクションが構成されることを含む請求項６２に記載のコンピュータプログラム製品。
【請求項６４】
システム情報を取得することを行うよう前記インストラクションが構成されることが、
システム情報メッセージを受信することを行うよう前記インストラクションが構成されることを含む請求項６２または６３に記載のコンピュータプログラム製品。
【請求項６５】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項６２から６４のいずれか一項に記載のコンピュータプログラム製品。
【請求項６６】
前記システム情報の少なくとも一部は前記ＰＢＣＨに含まれる請求項６５に記載のコンピュータプログラム製品。
【請求項６７】
前記取得されたシステム情報が、ひとつ以上のオフセット値を含む請求項６２から６６のいずれか一項に記載のコンピュータプログラム製品。
【請求項６８】
前記ひとつ以上のオフセット値が、少なくとも、前記ＲＦキャリアの前記同期チャネル部分から前記ＲＦキャリアの中心周波数までのオフセットを定義する第１オフセット値を含む請求項６７に記載のコンピュータプログラム製品。
【請求項６９】
前記ＲＦキャリアの前記中心周波数が前記ＲＦキャリアに関連付けられたキャリアラスタのキャリアラスタポイントに対応する請求項６８に記載のコンピュータプログラム製品。
【請求項７０】
前記取得されたシステム情報に基づいて、以下のうちのひとつ以上を決定することを行うよう構成されたインストラクションさらに含む請求項６２から６９のいずれか一項に記載のコンピュータプログラム製品。
前記ＲＦキャリアの帯域幅と；
ひとつ以上のデータチャネルのサブキャリア間隔
【請求項７１】
前記ＲＦキャリアを介したネットワークノードとの接続を確立することを行うよう構成されたインストラクションさらに含む請求項６２から７０のいずれか一項に記載のコンピュータプログラム製品。
【請求項７２】
別の周波数の別のＲＦキャリアへのハンドオーバを行う指示を受信することを行うよう構成されたインストラクションさらに含む請求項７１に記載のコンピュータプログラム製品。
【請求項７３】
前記動作帯域における前記ＲＦキャリアの前記位置がライセンスブロック内で中心になく、
前記コンピュータプログラムはさらに、直交周波数分割多重（ＯＦＤＭ）シンボルの切り詰められた伝送を受信するよう構成されたインストラクションを含み、前記切り詰められた伝送が、前記伝送の少なくとも一方の側でブランクされたひとつ以上のサブキャリアを含む請求項６２から７２のいずれか一項に記載のコンピュータプログラム製品。  
【請求項７４】
前記動作帯域における前記ＲＦキャリアの前記位置がライセンスブロック内で中心になく、
前記コンピュータプログラムはさらに、直交周波数分割多重（ＯＦＤＭ）シンボルの切り詰められた伝送を送信するよう構成されたインストラクションを含み、前記切り詰められた伝送が、前記伝送の少なくとも一方の側でブランクされたひとつ以上のサブキャリアを含む請求項６２から７３のいずれか一項に記載のコンピュータプログラム製品。
【請求項７５】
コンピュータプログラムであって、前記コンピュータプログラムは、
動作帯域におけるＲＦキャリアの、前記ＲＦキャリアの同期チャネル部分に対する位置を決定するために無線デバイス（３１０）によって用いられるシステム情報を決定すること（８０４）と、
前記決定されたシステム情報を前記無線デバイスに送信すること（８０８）と、を行うよう構成されたインストラクションを含むコンピュータプログラム。
【請求項７６】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項７５に記載のコンピュータプログラム。
【請求項７７】
前記決定されたシステム情報を前記無線デバイスに送信するよう前記インストラクションが構成されることが、前記決定されたシステム情報の少なくとも一部を、前記無線デバイスに、前記ＰＢＣＨにおいて送信することを行うよう前記インストラクションが構成されることを含む請求項７６に記載のコンピュータプログラム。
【請求項７８】
前記決定されたシステム情報が、ひとつ以上のオフセット値を含む請求項７５から７７のいずれか一項に記載のコンピュータプログラム。
【請求項７９】
前記ひとつ以上のオフセット値が、少なくとも、前記ＲＦキャリアの前記同期チャネル部分から前記ＲＦキャリアの中心周波数までのオフセットを定義する第１オフセット値を含む請求項７８に記載のコンピュータプログラム。
【請求項８０】
前記ＲＦキャリアの前記中心周波数が前記ＲＦキャリアに関連付けられたキャリアラスタのキャリアラスタポイントに対応する請求項７９に記載のコンピュータプログラム。
【請求項８１】
前記決定されたシステム情報が、以下のうちのひとつ以上を含む請求項７５から８０のいずれか一項に記載のコンピュータプログラム：
前記ＲＦキャリアの帯域幅と；
ひとつ以上のデータチャネルのサブキャリア間隔
【請求項８２】
前記ＲＦキャリアを介した前記無線デバイスとの接続を確立することを行うよう構成されたインストラクションさらに含む請求項７５から８１のいずれか一項に記載のコンピュータプログラム。
【請求項８３】
別の周波数の別のＲＦキャリアへのハンドオーバを行う指示を前記無線デバイスに送信することを行うよう構成されたインストラクションさらに含む請求項８２に記載のコンピュータプログラム。
【請求項８４】
前記動作帯域における前記ＲＦキャリアの前記位置がライセンスブロック内で中心になく、
前記コンピュータプログラムはさらに、直交周波数分割多重（ＯＦＤＭ）シンボルの切り詰められた伝送を受信するよう構成されたインストラクションを含み、前記切り詰められた伝送が、前記伝送の少なくとも一方の側でブランクされたひとつ以上のサブキャリアを含む請求項７５から８３のいずれか一項に記載のコンピュータプログラム。
【請求項８５】
前記動作帯域における前記ＲＦキャリアの前記位置がライセンスブロック内で中心になく、
前記コンピュータプログラムはさらに、直交周波数分割多重（ＯＦＤＭ）シンボルの切り詰められた伝送を送信するよう構成されたインストラクションを含み、前記切り詰められた伝送が、前記伝送の少なくとも一方の側でブランクされたひとつ以上のサブキャリアを含む請求項７５から８４のいずれか一項に記載のコンピュータプログラム。
【請求項８６】
コンピュータプログラム製品であって、前記コンピュータプログラム製品が非一時的コンピュータ可読ストレージ媒体を含み、前記非一時的コンピュータ可読ストレージ媒体がコンピュータプログラムを含み、前記コンピュータプログラムがコンピュータ実行可能インストラクションを含み、前記コンピュータ実行可能インストラクションは、プロセッサで実行された場合、
動作帯域におけるＲＦキャリアの、前記ＲＦキャリアの同期チャネル部分に対する位置を決定するために無線デバイス（３１０）によって用いられるシステム情報を決定すること（８０４）と、
前記決定されたシステム情報を前記無線デバイスに送信すること（８０８）と、を行うよう構成されるコンピュータプログラム製品。
【請求項８７】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項８６に記載のコンピュータプログラム製品。
【請求項８８】
前記決定されたシステム情報を前記無線デバイスに送信するよう前記インストラクションが構成されることが、
前記決定されたシステム情報の少なくとも一部を、前記無線デバイスに、前記ＰＢＣＨにおいて送信することを行うよう前記インストラクションが構成されることを含む請求項８７に記載のコンピュータプログラム製品。
【請求項８９】
前記決定されたシステム情報が、ひとつ以上のオフセット値を含む請求項８６から８８のいずれか一項に記載のコンピュータプログラム製品。
【請求項９０】
前記ひとつ以上のオフセット値が、少なくとも、前記ＲＦキャリアの前記同期チャネル部分から前記ＲＦキャリアの中心周波数までのオフセットを定義する第１オフセット値を含む請求項８９に記載のコンピュータプログラム製品。
【請求項９１】
前記ＲＦキャリアの前記中心周波数が前記ＲＦキャリアに関連付けられたキャリアラスタのキャリアラスタポイントに対応する請求項９０に記載のコンピュータプログラム製品。
【請求項９２】
前記決定されたシステム情報が、以下のうちのひとつ以上を含む請求項８６から９１のいずれか一項に記載のコンピュータプログラム製品。
前記ＲＦキャリアの帯域幅と；
ひとつ以上のデータチャネルのサブキャリア間隔
【請求項９３】
前記ＲＦキャリアを介した前記無線デバイスとの接続を確立することを行うよう構成されたインストラクションさらに含む請求項８６から９２のいずれか一項に記載のコンピュータプログラム製品。
【請求項９４】
別の周波数の別のＲＦキャリアへのハンドオーバを行う指示を前記無線デバイスに送信することを行うよう構成されたインストラクションさらに含む請求項９３に記載のコンピュータプログラム製品。
【請求項９５】
前記動作帯域における前記ＲＦキャリアの前記位置がライセンスブロック内で中心になく、
前記コンピュータプログラムはさらに、直交周波数分割多重（ＯＦＤＭ）シンボルの切り詰められた伝送を受信するよう構成されたインストラクションを含み、前記切り詰められた伝送が、前記伝送の少なくとも一方の側でブランクされたひとつ以上のサブキャリアを含む請求項８６から９４のいずれか一項に記載のコンピュータプログラム製品。
【請求項９６】
前記動作帯域における前記ＲＦキャリアの前記位置がライセンスブロック内で中心になく、
前記コンピュータプログラムはさらに、直交周波数分割多重（ＯＦＤＭ）シンボルの切り詰められた伝送を送信するよう構成されたインストラクションを含み、前記切り詰められた伝送が、前記伝送の少なくとも一方の側でブランクされたひとつ以上のサブキャリアを含む請求項８６から９５のいずれか一項に記載のコンピュータプログラム製品。
【発明の詳細な説明】
【技術分野】
【０００１】
本開示は主に無線通信に関し、特にチャネルラスタおよびナンバリングに関する。
【背景技術】
【０００２】
すべての移動通信システムはキャリアラスタを有し、このキャリアラスタは、無線周波数（ＲＦ）キャリアがダウンリンク（ＤＬ）およびアップリンク（ＵＬ）通信のために配置され得る周波数の集合を定義する。ＲＦキャリアはシステムが動作することが許される周波数帯域（動作帯域とも呼ばれる）内に含まれなければならないので、周波数の集合はある程度制限されなければならない。また、無線デバイス（例えば、ユーザ機器（ＵＥ））による効率的なセルサーチを容易にするために、各帯域には限られた数のキャリアが存在する。
【０００３】
無線デバイスが最初にネットワークに接続されるとき、無線デバイスは、ネットワークによって送信されるＤＬ  ＲＦキャリア（ＲＦチャネルとも呼ばれる）の周波数の知識を有さない。それは、可能なＲＦキャリア位置を走査することによってセルサーチを実行し、利用可能なＤＬキャリアを識別し、それに同期しようと試みる。ネットワークに接続されると、ハンドオーバのために隣接する候補セルを見つけて識別する必要があるので、移動性を提供するために、セルサーチも無線デバイスによって連続的に実行されなければならない。
【０００４】
より多くの可能なキャリア位置では、セルサーチに必要な時間が増加する。このため、無線デバイスがセルサーチを実行するためには、キャリアラスタ内に限られた数のキャリア位置がなければならない。
【０００５】
図１は、例示的なキャリアラスタ１００を示す。より具体的には、図１はロングタームエボリューション（ＬＴＥ）モバイルシステム（Ｅ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）としても知られる）におけるＲＦキャリア１０５のための例示的なキャリアラスタ１００を示す。図１に示すように（第３世代パートナーシッププロジェクト（３ＧＰＰ）のＴＳ  ３６．１０１およびＴＳ  ３６．１０４も参照）、ＬＴＥモバイルシステムはそれぞれの動作帯域内にキャリアラスタを有し、可能なキャリア周波数位置（ｆ）の間に１００キロヘルツ（ｋＨｚ）の間隔を有する。この１００ｋＨｚラスタは探索すべき適度な数の点を与え、さらに、オペレータに与えられるスペクトルライセンス（１００ｋＨｚの粒度を有することが非常に多い）のブロック割り当てに一致する。
【０００６】
３ＧＰＰによって開発されているニューラジオ（ＮＲ）アクセスなどの５Ｇシステムは、ＬＴＥと同じ周波数帯域で動作することができるが、ミリメートル（ｍｍ）波周波数範囲の新しい周波数帯域でも動作することができる。これらの新しい帯域は、より低い周波数におけるＬＴＥのための既存の帯域よりもかなり大きく、数ギガヘルツ（ＧＨｚ）幅までとすることができる。従って、例えば、１００ｋＨｚの分離を有するＲＦキャリアグリッドを使用することは、非常に多くの可能なラスタポイントが存在することとなるので、管理不能なセルサーチ時間につながる可能性がある。
【０００７】
図２は、例示的な同期チャネル周波数およびラスタを示す。より具体的には、図２は、ＲＦキャリア２１０に含まれる同期チャネル２０５のための同期チャネルラスタ２００を示す。同期チャネルラスタ２００は、複数の同期チャネルラスタポイント２１５Ａ〜Ｃを含む。同期チャネル２０５（およびＲＦキャリア２１０）は、複数のサブキャリア２２０から構成される。
【０００８】
ＮＲは、多くの可能なＲＦチャネル帯域幅で、また、（直交周波数分割多重（ＯＦＤＭ）サブキャリア間隔および他のパラメータに関して）異なる可能な数理で動作するように設計される。これは、セルサーチ時間をさらに増加させうる。したがって、図２に示すように、同期チャネルラスタ（例えば、同期ラスタ２００）上の同期チャネル周波数の固定的集合（例えば、同期チャネル２０５）を定義することが、３ＧＰＰにおいて提案された（例えば、３ＧＰＰ  ＴＳＧ−ＲＡＮ  ＷＧ４  ＲＡＮ４＃１−ＮＲ，  Ｒ４−１７００１８７，  ”Ｓｙｎｃｈｒｏｎｉｚａｔｉｏｎ  ｓｉｇｎａｌ  ｆｒｅｑｕｅｎｃｙ  ｒａｓｔｅｒ  ｃｏｎｓｉｄｅｒａｔｉｏｎｓ，”  Ｓｐｏｋａｎｅ，  Ｕ．Ｓ．Ａ，  Ｊａｎｕａｒｙ  １７ｔｈ  −１９ｔｈ  ，  ２０１６参照）。その場合、無線デバイスは、所定のフォーマットおよびＯＦＤＭサブキャリア間隔を有する、これらの所定の同期チャネル位置を探索するだけでよい。
【０００９】
同期チャネル２０５はＲＦチャネル２１０の一部であり、したがって、いくつかのＯＦＤＭサブキャリア２２０からなる。これは、同期チャネル２０５のグリッド位置が完全ＲＦキャリア２１０のサブキャリアと整列され、それが完全ＲＦキャリアの可能な位置にいくつかの制約を与えることを意味する。
【００１０】
しかしながら、提案されたアプローチは、特定の欠点に悩まされている。例えば、無線デバイスが有効な同期チャネル（例えば、同期チャネル２０５）を識別した場合、無線デバイスは、完全ＲＦキャリア２１０の位置およびチャネル帯域幅の完全な知識を依然として有していない。同期チャネルはＲＦキャリア２１０内の任意の可能な位置にあり得、これは動作帯域で許容される異なるＲＦチャネル帯域幅のいずれかを有し得る。
【００１１】
ＯＦＤＭサブキャリアグリッドが同期チャネル２０５と完全ＲＦキャリア２１０との間に整列されるという点で、提案されたスキームには二次的な問題もある。これは、ＲＦキャリア２１０をどのように配置するかの粒度を与え、この粒度はサブキャリア間隔よりも小さくすることができない。これは、ネットワーク（例えば、ＮＲネットワーク）のオペレータに対するライセンス条件によって課される規制に起因する問題を引き起こす可能性がある。例えば、オペレータがＲＦキャリアを配置することができる周波数範囲（すなわち、「ライセンスブロック」）をライセンスが非常に厳しめに指定する場合、ＮＲのサブキャリア間隔によって課される粗い粒度のために、ＲＦキャリア２１０をそのライセンスブロックの中心に正確に配置することができないことがある。これは、ＲＦ放射がライセンスブロックの一方の側で「こぼれ」、潜在的に、動作に課されるライセンス条件または他の規則に違反するリスクを生じさせる。
【発明の概要】
【００１２】
既存のソリューションに伴う前述の課題に対処するために、無線デバイスにおける方法が開示される。方法は、動作帯域におけるＲＦキャリアの同期チャネル部分を特定することを含む。方法は、ＲＦキャリアの特定された同期チャネル部分に対する、動作帯域におけるＲＦキャリアの位置を決定するのに用いるシステム情報を取得することを含む。方法は、ＲＦキャリアの特定された同期チャネル部分に対する、動作帯域におけるＲＦキャリアの位置を、取得されたシステム情報に基づいて、決定することを含む。
【００１３】
ある実施の形態では、前記動作帯域における前記ＲＦキャリアの前記同期チャネル部分を特定することは、前記ＲＦキャリアの前記同期チャネル部分に関連付けられた同期チャネルラスタに基づいて複数の所定の同期ラスタポイントを決定することであって、前記複数の所定の同期ラスタポイントのそれぞれが、前記ＲＦキャリアの前記同期チャネル部分の可能な位置を定義する、決定することと前記複数の所定の同期ラスタポイントのうちのひとつ以上に対してセルサーチを実行することによって、前記ＲＦキャリアの前記同期チャネル部分を特定することと、を含んでもよい。
【００１４】
ある実施の形態では、システム情報を取得することはシステム情報メッセージを受信することを含んでもよい。
【００１５】
ある実施の形態では、前記ＲＦキャリアの前記同期チャネル部分が、物理報知チャネル（ＰＢＣＨ）と一緒に送信されるプライマリ同期信号（ＰＳＳ）とセカンダリ同期信号（ＳＳＳ）とを有する同期信号ブロックを含んでもよい。ある実施の形態では、前記システム情報の少なくとも一部は前記ＰＢＣＨに含まれてもよい。
【００１６】
ある実施の形態では、前記取得されたシステム情報が、ひとつ以上のオフセット値を含んでもよい。ある実施の形態では、前記ひとつ以上のオフセット値が、少なくとも、前記ＲＦキャリアの前記同期チャネル部分から前記ＲＦキャリアの中心周波数までのオフセットを定義する第１オフセット値を含んでもよい。ある実施の形態では、前記ＲＦキャリアの前記中心周波数が前記ＲＦキャリアに関連付けられたキャリアラスタのキャリアラスタポイントに対応してもよい。
【００１７】
ある実施の形態では、方法は、前記取得されたシステム情報に基づいて、以下のうちのひとつ以上を決定することを含んでもよい：前記ＲＦキャリアの帯域幅；およびひとつ以上のデータチャネルのサブキャリア間隔。
【００１８】
ある実施の形態では、方法は、前記ＲＦキャリアを介したネットワークノードとの接続を確立することを含んでもよい。
【００１９】
ある実施の形態では、方法は、別の周波数の別のＲＦキャリアへのハンドオーバを行う指示を受信することを含んでもよい。
【００２０】
ある実施の形態では、前記動作帯域における前記ＲＦキャリアの前記位置がライセンスブロック内で中心になく、方法は、ＯＦＤＭシンボルの切り詰められた伝送を受信することを含んでもよく、前記切り詰められた伝送が、前記伝送の少なくとも一方の側でブランクされたひとつ以上のサブキャリアを含んでもよい。ある実施の形態では、前記動作帯域における前記ＲＦキャリアの前記位置がライセンスブロック内で中心になく、方法は、ＯＦＤＭシンボルの切り詰められた伝送を送信することを含んでもよく、前記切り詰められた伝送が、前記伝送の少なくとも一方の側でブランクされたひとつ以上のサブキャリアを含んでもよい。
【００２１】
無線デバイスも開示される。無線デバイスは、受信器と、送信器と、前記受信器および前記送信器に接続された処理回路と、を備える。処理回路は、動作帯域におけるＲＦキャリアの同期チャネル部分を特定するよう構成される。処理回路は、ＲＦキャリアの特定された同期チャネル部分に対する、動作帯域におけるＲＦキャリアの位置を決定するのに用いるシステム情報を取得するよう構成される。処理回路は、ＲＦキャリアの特定された同期チャネル部分に対する、動作帯域におけるＲＦキャリアの位置を、取得されたシステム情報に基づいて、決定するよう構成される。
【００２２】
無線デバイスも開示される。無線デバイスは、受信モジュールと、通信モジュールと、前記受信モジュールおよび前記通信モジュールに接続された決定モジュールと、を備える。決定モジュールは、動作帯域におけるＲＦキャリアの同期チャネル部分を特定するよう構成される。決定モジュールは、ＲＦキャリアの特定された同期チャネル部分に対する、動作帯域におけるＲＦキャリアの位置を決定するのに用いるシステム情報を取得するよう構成される。決定モジュールは、ＲＦキャリアの特定された同期チャネル部分に対する、動作帯域におけるＲＦキャリアの位置を、取得されたシステム情報に基づいて、決定するよう構成される。
【００２３】
コンピュータプログラムも開示される。このコンピュータプログラムは無線デバイスにおいて上述の方法を行うよう構成されたインストラクションを含む。コンピュータプログラム製品も開示される。前記コンピュータプログラム製品が非一時的コンピュータ可読ストレージ媒体を含み、前記非一時的コンピュータ可読ストレージ媒体がコンピュータプログラムを含み、前記コンピュータプログラムがコンピュータ実行可能インストラクションを含み、前記コンピュータ実行可能インストラクションは、プロセッサで実行された場合、無線デバイスにおいて上述の方法を行うよう構成される。
【００２４】
ネットワークノードにおける方法も開示される。方法は、動作帯域におけるＲＦキャリアの、前記ＲＦキャリアの同期チャネル部分に対する位置を決定するために無線デバイスによって用いられるシステム情報を決定することを含む。方法は、前記決定されたシステム情報を前記無線デバイスに送信することを含む。
【００２５】
ある実施の形態では、前記ＲＦキャリアの前記同期チャネル部分が、ＰＢＣＨと一緒に送信されるプライマリ同期信号とセカンダリ同期信号とを有する同期信号ブロックを含んでもよい。ある実施の形態では、前記決定されたシステム情報を前記無線デバイスに送信することが、前記決定されたシステム情報の少なくとも一部を、前記無線デバイスに、前記ＰＢＣＨにおいて送信することを含んでもよい。
【００２６】
ある実施の形態では、前記決定されたシステム情報が、ひとつ以上のオフセット値を含んでもよい。ある実施の形態では、前記ひとつ以上のオフセット値が、少なくとも、前記ＲＦキャリアの前記同期チャネル部分から前記ＲＦキャリアの中心周波数までのオフセットを定義する第１オフセット値を含んでもよい。ある実施の形態では、前記ＲＦキャリアの前記中心周波数が前記ＲＦキャリアに関連付けられたキャリアラスタのキャリアラスタポイントに対応してもよい。
【００２７】
ある実施の形態では、前記決定されたシステム情報は以下のうちのひとつ以上を含む：前記ＲＦキャリアの帯域幅；およびひとつ以上のデータチャネルのサブキャリア間隔。
【００２８】
ある実施の形態では、方法は、前記ＲＦキャリアを介した前記無線デバイスとの接続を確立することを含んでもよい。ある実施の形態では、方法は、別の周波数の別のＲＦキャリアへのハンドオーバを行う指示を前記無線デバイスに送信することを含んでもよい。
【００２９】
ある実施の形態では、前記動作帯域における前記ＲＦキャリアの前記位置がライセンスブロック内で中心になく、方法は、ＯＦＤＭシンボルの切り詰められた伝送を受信することを含んでもよく、前記切り詰められた伝送が、前記伝送の少なくとも一方の側でブランクされたひとつ以上のサブキャリアを含んでもよい。
【００３０】
ある実施の形態では、前記動作帯域における前記ＲＦキャリアの前記位置がライセンスブロック内で中心になく、方法は、ＯＦＤＭシンボルの切り詰められた伝送を送信することを含んでもよく、前記切り詰められた伝送が、前記伝送の少なくとも一方の側でブランクされたひとつ以上のサブキャリアを含んでもよい。
【００３１】
ネットワークノードも開示される。ネットワークノードは、受信器と、送信器と、前記受信器および前記送信器に接続された処理回路と、を備える。処理回路は、動作帯域におけるＲＦキャリアの、前記ＲＦキャリアの同期チャネル部分に対する位置を決定するために無線デバイスによって用いられるシステム情報を決定するよう構成される。処理回路は、前記決定されたシステム情報を前記無線デバイスに、前記送信器を介して送信するよう構成される。
【００３２】
ネットワークノードも開示される。ネットワークノードは、受信モジュールと、通信モジュールと、決定モジュールと、を備える。決定モジュールは、動作帯域におけるＲＦキャリアの、前記ＲＦキャリアの同期チャネル部分に対する位置を決定するために無線デバイスによって用いられるシステム情報を決定するよう構成される。通信モジュールは、前記決定されたシステム情報を前記無線デバイスに、前記送信器を介して送信するよう構成される。
【００３３】
コンピュータプログラムも開示される。このコンピュータプログラムはネットワークノードにおいて上述の方法を行うよう構成されたインストラクションを含む。コンピュータプログラム製品も開示される。前記コンピュータプログラム製品が非一時的コンピュータ可読ストレージ媒体を含み、前記非一時的コンピュータ可読ストレージ媒体がコンピュータプログラムを含み、前記コンピュータプログラムがコンピュータ実行可能インストラクションを含み、前記コンピュータ実行可能インストラクションは、プロセッサで実行された場合、ネットワークノードにおいて上述の方法を行うよう構成される。
【００３４】
本開示のある実施の形態は、１つまたは複数の技術的利点を提供することができる。例えば、いくつかの実施の形態は同期チャネルからの相対的なオフセットとしてＲＦチャネルの位置を提供することができ、これは、より少ない可能なＲＦチャネル位置を提供することができので有利であり、それによって、システム情報メッセージ中の情報（例えば、ビット）を節約することができる。別の例として、いくつかの実施の形態はＲＦキャリアの一方の側でブランキングされたＯＦＤＭサブキャリアに関する情報を提供することができ、これは、（例えば、オペレータが利用可能な周波数範囲が非常に厳しい場合に）規制要件内に放射を維持することを可能にすることができるので有利である。別の例として、いくつかの実施の形態は、例えば、必要な場合にのみシステム情報内のブランキングされたサブキャリアに関する情報を提供することによって、スペクトル利用の不必要な低減を防止することができるので有利である。他の利点は、当業者には明らかであろう。特定の実施の形態は、記載された利点のすべて、いくつか、またはいずれも有さなくてもよい。
【図面の簡単な説明】
【００３５】
開示される実施の形態並びにそのフィーチャおよび利点のより完全な理解のために、添付の図面と連携した以下の説明が参照される。
【図１】例示的なキャリアラスタを示す。
【図２】例示的な同期チャネル周波数およびラスタを示す。
【図３】ある実施の形態による、ネットワークの実施の形態を示すブロック図である。
【図４】ある実施の形態による、例示的な同期チャネル周波数およびラスタ、ならびにＲＦチャネル周波数に対するオフセットを示す。
【図５】ある実施の形態による、望ましくない放射を伴う例示的なオペレータライセンスブロックを示す。
【図６】ある実施の形態による、ＲＦキャリアが固定ＲＦグリッド上に配置される場合の例示的なオペレータライセンスブロックを示す。
【図７】ある実施の形態による、無線デバイスにおける方法のフロー図である。
【図８】ある実施の形態による、ネットワークノードにおける方法のフロー図である。
【図９】ある実施の形態による、例示的な無線デバイスのブロック模式図である。
【図１０】ある実施の形態による、例示的なネットワークノードのブロック模式図である。
【図１１】ある実施の形態による、例示的な無線ネットワークノードまたはコアネットワークノードのブロック模式図である。
【図１２】ある実施の形態による、例示的な無線デバイスのブロック模式図である。
【図１３】ある実施の形態による、例示的なネットワークノードのブロック模式図である。
【発明を実施するための形態】
【００３６】
上述の通り、ＮＲなどの５Ｇシステムは、ＬＴＥと同じ周波数帯域で動作することができるが、ｍｍ波周波数範囲の新しい周波数帯域でも動作することができる。これらの新しい帯域は、より低い周波数におけるＬＴＥのための既存の帯域よりもかなり大きく、数ギガヘルツ（ＧＨｚ）幅までとすることができる。従って、例えば、１００ｋＨｚの分離を有するＲＦキャリアグリッドを使用することは、非常に多くの可能なラスタポイントが存在することとなるので、管理不能なサーチ時間につながる可能性がある。図２に関連して上述したように、同期チャネルラスタ上に同期チャネル周波数の固定的な集合を定義することが提案されている。しかしながら、このようなアプローチに関連する特定の欠点がある。例えば、無線デバイスが有効な同期チャネルを識別した場合、無線デバイスは、完全ＲＦキャリアの位置およびチャネル帯域幅の完全な知識を依然として有していない。加えて、オペレータがＲＦキャリアを配置することができるライセンスブロックをライセンスが非常に厳しめに指定する場合、（例えば、ＮＲのサブキャリア間隔によって課される粗い粒度のために、）ＲＦキャリアをそのライセンスブロックの中心に正確に配置することができないことがある。これは、ＲＦ放射がライセンスブロックの一方の側で「こぼれ」、潜在的に、動作に課されるライセンス条件または他の規則に違反するリスクを生じさせる。本開示は、既存のアプローチに関連するこれらおよび他の欠陥に対処することができる様々な実施の形態を企図する。
【００３７】
無線デバイスが同期チャネルの位置を特定した場合、無線デバイスは、完全なＲＦチャネルをさらに特定する必要がある。ある実施の形態では、ネットワークノード（例えば、基地局（ＢＳ））は、同期チャネルのスパン内に位置する無線デバイスにシステム情報メッセージを提供する。システム情報は、同期チャネルに対するＲＦチャネル中心の位置を特定する。このシステム情報はまた、ＲＦチャネル帯域幅、データチャネルのために使用されるサブキャリア間隔、およびネットワークノードとの接続を完全に獲得および／またはセットアップし続けるために無線デバイスによって必要とされる他の情報を提供する。
【００３８】
上述したように、ＲＦチャネルがオペレータのライセンスブロック内の中心にない場合、これは、ＲＦ放射が一方の側で「溢れ出る」という問題を引き起こす可能性がある。ある実施の形態では、ＯＦＤＭ信号の送信は、送信のうち問題を引き起こす可能性がある側で１つまたは複数のサブキャリアを送信しない（たとえば、ブランキングする）ことによって、「切り捨て」られうる。場合によっては、（もしあれば）ブランキングすべきサブキャリアの数、および送信のどの側か、をシステム情報メッセージを介して無線デバイスに提供してもよい。
【００３９】
ある例示的な実施の形態によれば、無線デバイスにおける方法が開示される。無線デバイスは、動作帯域におけるＲＦキャリアの同期チャネル部分を特定する。場合によっては、無線デバイスは、ＲＦキャリアの同期チャネル部分に関連する同期チャネルラスタに基づいて複数の所定の同期ラスタポイントを決定することによって、動作帯域においてＲＦキャリアの同期チャネル部分を特定する。所定の同期ラスタポイントの各々は、ＲＦキャリアの同期チャネル部分の可能な位置を定義する。無線デバイスは、複数の所定の同期ラスタポイントのうちのひとつ以上に対してセルサーチを実行することによって、ＲＦキャリアの同期チャネル部分を特定する。
【００４０】
無線デバイスは、ＲＦキャリアの特定された同期チャネル部分に対する、動作帯域におけるＲＦキャリアの位置を決定するのに用いるシステム情報を（例えば、システム情報メッセージを受信することによって、）取得する。ある場合、取得されたシステム情報はひとつ以上のオフセット値（例えば、ＲＦキャリアの同期チャネル部分からＲＦキャリアの中心周波数までのオフセットを定義する第１オフセット値）を含んでもよい。無線デバイスは、ＲＦキャリアの特定された同期チャネル部分に対する、動作帯域におけるＲＦキャリアの位置を、取得されたシステム情報に基づいて、決定する。ある場合、無線デバイスは、ＲＦキャリアを介したネットワークノードとの接続を確立する。ある実施の形態では、動作帯域におけるＲＦキャリアの位置がライセンスブロック内で中心になくてもよく、無線デバイスは、ＯＦＤＭシンボルの切り詰められた伝送を受信および／または送信してもよい。
【００４１】
他の例示的な実施の形態によると、ネットワークノードにおける方法が開示される。ネットワークノードは、動作帯域におけるＲＦキャリアの、ＲＦキャリアの同期チャネル部分に対する位置を決定するために無線デバイスによって用いられるシステム情報を決定する。決定されたシステム情報は、例えば、ひとつ以上のオフセット値（例えば、ＲＦキャリアの同期チャネル部分からＲＦキャリアの中心周波数までのオフセットを定義する第１オフセット値）を含んでもよい。場合によっては、決定されたシステム情報はまた、ＲＦキャリアの帯域幅、１つまたは複数のデータチャネルのサブキャリア間隔、および／またはブランキングするサブキャリアの数（および、場合によっては、伝送のどの側にそれらが位置するか）も含むことができる。ネットワークノードは、決定されたシステム情報を無線デバイスに送信する。ある場合、ネットワークノードは、ＲＦキャリアを介した無線デバイスとの接続を確立してもよい。ある実施の形態では、動作帯域におけるＲＦキャリアの位置がライセンスブロック内で中心になくてもよく、ネットワークノードは、ＯＦＤＭシンボルの切り詰められた伝送を受信および／または送信してもよい。
【００４２】
本開示のある実施の形態は、１つまたは複数の技術的利点を提供することができる。一例として、いくつかの実施の形態は同期チャネルからの相対的なオフセットとしてＲＦチャネルの位置を提供することができ、これは、より少ない可能なＲＦチャネル位置を提供することができので有利であり、それによって、システム情報メッセージ中の情報（例えば、ビット）を節約することができる。一例として、動作帯域が１２００メガヘルツ（ＭＨｚ）幅であり、ＲＦチャネルが１２０ｋＨｚラスタ上のどこにあってもよい場合、１０，０００個の可能なラスタ位置がある。同期チャネルがラスタポイント間で２４ＭＨｚを有する同期チャネルラスタ上にある場合、無線デバイスは、いったん同期チャネルを特定すると、ＲＦチャネル中心が２４ＭＨｚ範囲内にあることを知ることになる。ここでは、同期チャネルに対して２００個の可能なＲＦチャネル位置のみが存在する。したがって、相対オフセットを使用することによって、可能なＲＦチャネル位置の数は１０，０００から２００に低減され、これはシステム情報において報知される必要がある情報の量を有利に低減する。
【００４３】
別の例として、いくつかの実施の形態はＲＦキャリアの一方の側でブランキングされたＯＦＤＭサブキャリアに関する情報を提供することができ、これは、（例えば、オペレータが利用可能な周波数範囲が非常に厳しい場合に）規制要件内に放射を維持することを可能にすることができるので有利である。代替であってあまり有利でないアプローチは、常により少ないサブキャリアを送信することによって、伝送の両側に余分なマージンを常に有するようにＲＦキャリアを設計することであろう。しかしながら、これは、特に、送信の両側に課せられた当局の規制がない場合に、スペクトルのより低い利用（スペクトル資源の浪費）の点で損失を与えるのであろう。ある実施の形態では、ブランキングされたサブキャリアに関する情報をシステム情報で提供することによって、スペクトル利用は必要な場合にのみ低減される。
【００４４】
他の利点は、当業者には明らかであろう。特定の実施の形態は、記載された利点のすべて、いくつか、またはいずれも有さなくてもよい。
【００４５】
図３は、ある実施の形態による、ネットワーク３００の実施の形態を示すブロック図である。ネットワーク３００は、１つまたは複数の無線デバイス３１０（たとえば、ＵＥ）と、１つまたは複数のネットワークノード３１５（たとえば、エバルブドノードＢ（ｅＮＢ）またはｇＮｏｄｅＢ（ｇＮＢ））と、を含む。より具体的には、図３の例ではネットワーク３００は無線デバイス３１０Ａ〜Ｅおよびネットワークノード３１５Ａ〜Ｃを含む。無線デバイス３１０は、無線インタフェースを介してネットワークノード３１５と通信することができる。例えば、無線デバイス３１０はネットワークノード３１５のうちの１つまたは複数に無線信号を送信し、および／またはネットワークノード３１５のうちの１つまたは複数から無線信号を受信することができる。無線信号は、音声トラフィック、データトラフィック、制御信号、システム情報、および／または任意の他の適切な情報を含み得る。ある実施の形態では、各ネットワークノード３１５は、関連付けられた無線信号カバレッジエリア３２５を有する（例えば、ネットワークノード３１５Ａは関連付けられた無線信号カバレッジエリア３２５Ａを有し、ネットワークノード３１５Ｂは関連付けられた無線信号カバレッジエリア３２５Ｂを有し、ネットワークノード３１５Ｃは関連付けられた無線信号カバレッジエリア３２５Ｃを有する）。ある実施の形態では、ネットワークノード３１５に関連付けられた無線信号カバレッジ３２５のエリアはセルと呼ばれ得る。いくつかの実施の形態では、無線デバイス３１０はデバイスツーデバイス（Ｄ２Ｄ）機能を有することができる。したがって、無線デバイス３１０は、別の無線デバイス１１０から信号を受信すること、および／または別の無線デバイスに信号を直接送信することが可能であり得る。
【００４６】
ある実施の形態では、ネットワークノード３１５は無線ネットワークコントローラ（ＲＮＣ）とインタフェースすることができる。ＲＮＣはネットワークノード３１５を制御することができ、特定の無線リソース管理機能、モビリティ管理機能、および／または他の適切な機能を提供することができる。ある実施の形態では、ＲＮＣの機能はネットワークノード３１５に含まれてもよい。ＲＮＣは、コアネットワークノードとインタフェースすることができる。ある実施の形態では、ＲＮＣは、相互接続ネットワーク３２０を介してコアネットワークノードとインタフェースすることができる。相互接続ネットワーク３２０は、音声、ビデオ、信号、データ、メッセージ、またはこれらの任意の組合せを送信することができる任意の相互接続システムを指すことができる。相互接続ネットワーク３２０は、公衆交換電話網（ＰＳＴＮ）、公衆または私設データネットワーク、ローカルエリアネットワーク（ＬＡＮ）、メトロポリタンエリアネットワーク（ＭＡＮ）、ワイドエリアネットワーク（ＷＡＮ）、ローカル、リージョナル、またはグローバル通信、またはインターネットなどのコンピュータネットワーク、有線もしくは無線ネットワーク、企業イントラネット、またはそれらの組合せを含む任意の他の適切な通信リンクなどのすべてまたは一部を含むことができる。
【００４７】
いくつかの実施の形態では、コアネットワークノードは、無線デバイス３１０のための通信セッションの確立および様々な他の機能を管理することができる。無線デバイス３１０は、非アクセス階層レイヤを使用して、コアネットワークノードと特定の信号を交換することができる。非アクセス階層シグナリングでは、無線デバイス３１０とコアネットワークノードとの間の信号は無線アクセスネットワーク（ＲＡＮ）を透過的に通過してもよい。ある実施の形態では、ネットワークノード３１５は、例えばＸ２インタフェースなどのノード間インタフェースを介して１つまたは複数のネットワークノードとインタフェースすることができる。
【００４８】
上述の通り、ネットワーク３００の例示的な実施の形態は、ひとつ以上の無線デバイス３１０と、ひとつ以上の異なるタイプのネットワークノードであって無線デバイス３１０と通信可能（直接的にまたは間接的に）なネットワークノードと、を含んでもよい。
【００４９】
いくつかの実施の形態では、非限定的な用語である無線デバイスが使用される。本明細書で説明される無線デバイス３１０は、ネットワークノード３１５またはセルラもしくはモバイル通信システム内の別の無線デバイスと（たとえば、無線信号を介して）通信することができる任意のタイプの無線デバイスであり得る。無線デバイスの例は、ＵＥ、無線通信デバイス、ターゲットデバイス、ＵＥ、Ｄ２Ｄ  ＵＥ、マシンタイプ通信（ＭＴＣ）ＵＥまたはマシンツーマシン通信（Ｍ２Ｍ）が可能なＵＥ、低コストおよび／または低複雑性ＵＥ、ＵＥに備えられたセンサ、タブレット、パーソナルデジタルアシスタント（ＰＤＡ）、モバイル端末、スマートフォン、ラップトップ組み込み装置（ＬＥＥ）、ラップトップ取り付け装置（ＬＭＥ）、ＵＳＢドングル、カスタマプレミス装置（ＣＰＥ）等を含む。無線デバイス３１０は、そのサービングセルに対する通常のカバレッジまたは拡張されたカバレッジのいずれかの下で動作し得る。拡張されたカバレッジは、延長されたカバレッジと互換的に呼ばれ得る。無線デバイス３１０はまた、複数のカバレッジレベル（たとえば、通常のカバレッジ、拡張カバレッジレベル１、拡張カバレッジレベル２、拡張カバレッジレベル３など）で動作し得る。場合によっては、無線デバイス３１０はまたカバレッジ外のシナリオで動作することができる。
【００５０】
また、いくつかの実施の形態では、非限定的な用語であるネットワークノードが使用される。これは、任意の種類のネットワークノードまたは無線ネットワークノードであり得る。ネットワークノード３１５の例は、ＢＳ、無線ＢＳ、ノードＢ、ＭＳＲ  ＢＳなどのマルチスタンダード無線（ＭＳＲ）無線ノード、ｅＮＢ、マスタｅＮＢ（ＭｅＮＢ）、セカンダリｅＮＢ（ＳｅＮＢ）、ｇＮＢ、ネットワークコントローラ、ＲＮＣ、ＢＳコントローラ（ＢＳＣ）、リレーノード、リレーを制御するドナーノード、基地送受信局（ＢＴＳ）、アクセスポイント（ＡＰ）、無線ＡＰ、伝送ポイント、伝送ノード、遠隔無線ユニット（ＲＲＵ）、遠隔無線ヘッド（ＲＲＨ）、分散アンテナシステム（ＤＡＳ）内のノード、マルチセル／マルチキャスト協調エンティティ（ＭＣＥ）、コアネットワークノード（例えば、モバイル交換局（ＭＳＣ）、モバイル管理エンティティ（ＭＭＥ）など）、オペレーションアンドマネジメント（Ｏ＆Ｍ）、オペレーションサポートシステム（ＯＳＳ）、自己組織化ネットワーク（ＳＯＮ）、位置決めノード（例えば、エバルブドサービングモバイルロケーションセンタ（Ｅ−ＳＭＬＣ）、ドライブテスト最小化（ＭＤＴ）、または任意の他の適切なネットワークノードを含む。
【００５１】
ネットワークノードおよび無線デバイスのような用語は非限定的であると考えられるべきであり、２つの間のある階層的関係を暗示するものではなく、一般に、「ネットワークノード」は装置１と考えられ、「無線デバイス」は装置２と考えられ、これらの２つの装置は何らかの無線チャネルを介して互いに通信する。
【００５２】
無線デバイス３１０、ネットワークノード３１５、および他のネットワークノード（ＲＮＣまたはコアネットワークノードなど）の例示的な実施の形態を、図９〜１３に関して以下でより詳細に説明する。
【００５３】
図３はネットワーク３００の特定の構成を示すが、本開示は本明細書で説明される様々な実施の形態が任意の適切な構成を有する様々なネットワークに適用され得ることを企図する。例えば、ネットワーク３００は、任意の適切な数の無線デバイス３１０およびネットワークノード３１５、ならびに無線デバイス間または無線デバイスと別の通信デバイス（陸線電話など）との間の通信をサポートするのに適切な任意の追加の要素を含み得る。さらに、特定の実施の形態はＮＲネットワークにおいて実装されるように説明され得るが、実施の形態は任意の適切な通信規格（５Ｇ規格を含む）をサポートし、任意の適切な構成要素を使用する任意の適切なタイプの電気通信システムにおいて実装されうるものであり、無線デバイスが信号（例えば、データ）を受信および／または送信する任意の無線アクセス技術（ＲＡＴ）またはマルチＲＡＴシステムに適用可能である。例えば、本明細書で説明される様々な実施の形態は、ＬＴＥ、ＬＴＥ−Ａｄｖａｎｃｅｄ、ＮＲ、４Ｇ、５Ｇ、狭帯域物のインターネット化（ＮＢ−ＩｏＴ）、ＭｕｌｔｅＦｉｒｅ、ＵＴＲＡ、Ｅ−ＵＴＲＡ、ＵＭＴＳ、ＨＳＰＡ、ＧＳＭ、ｃｄｍａ２０００、ＷＣＤＭＡ、ＷｉＭａｘ、ＵＭＢ、ＷｉＦｉ、Ｂｌｕｅｔｏｏｔｈ、別の適切なＲＡＴ、または１つまたは複数のＲＡＴの任意の適切な組合せに適用可能であり得る。ある実施の形態では、無線デバイス３１０およびネットワークノード３１５は単一のＲＡＴまたは複数のＲＡＴをサポートすることが可能であり得る。本開示は、様々な実施の形態がＤＬおよびＵＬにおいて等しく適用可能であることを企図する。
【００５４】
上述のように、無線デバイス（たとえば、無線デバイス３１０Ａ）が最初にネットワーク３００に接続すべきとき、無線デバイス３１０Ａは、ネットワークによって（たとえば、ネットワークノード３１５Ａによって）送信されるＤＬ  ＲＦキャリア（本明細書ではＲＦチャネルとも互換的に呼ばれ得る）の周波数の知識を有しない。ある実施の形態では、無線デバイス３１０Ａは、ＲＦキャリアの特定された同期チャネル部分に対する、動作帯域におけるＲＦキャリアの位置を決定する。以下でより詳細に説明するように、ＲＦキャリア周波数は２つのステップで定義される。第１に、同期チャネルラスタを介して、第２のステップにおいて、最終ＲＦキャリア周波数は、同期チャネルに対するＲＦチャネルラスタ上で定義される。同期チャネルのナンバリングおよびラスタについては、以下でより詳細に説明する。
【００５５】
場合によっては、同期信号（ＳＳ）（例えば、ＳＳブロック）の中心周波数はＲＦキャリアの中心周波数とは異なることがある。これは、可能なＲＦキャリア周波数を定義するチャネルラスタよりも疎な同期信号ラスタを有する可能性を開く（同期チャネルの配置および帯域幅にいくつかの条件が課される場合）。ある実施の形態では、これらの条件は、各動作帯域に対して最小ＲＦチャネル帯域幅が定義されること、同期信号周波数ラスタがデータサブキャリア間隔の整数倍であること、および、場合によっては同期チャネルの帯域幅がＲＦチャネル帯域幅の半分よりも小さくてもよいこと、を含んでもよい。その結果、ＲＦチャネルがどこに配置されているかにかかわらず、ＲＦチャネル内に含まれる１つの完全な同期チャネルが存在することになる。一例を図４に示す（以下により詳細に説明する）。
【００５６】
ある実施の形態では、無線デバイス３１０Ａは、動作帯域におけるＲＦキャリアの同期チャネル部分を特定する。ある実施の形態では、ＲＦキャリアの同期チャネル部分が、物理報知チャネル（ＰＢＣＨ）と一緒に送信されるプライマリ同期信号（ＳＳＳ）とセカンダリ同期信号とを有する同期信号ブロックを含んでもよい。
【００５７】
無線デバイス３１０Ａは、任意の適切な方法でＲＦキャリアの同期チャネル部分を特定することができる。一例として、無線デバイス３１０Ａは、ＲＦキャリアの同期チャネル部分に関連する同期チャネルラスタに基づいて複数の所定の同期ラスタポイントを決定してもよい。所定の同期ラスタポイントの各々は、ＲＦキャリアの同期チャネル部分の可能な位置を定義する。無線デバイス３１０Ａは、複数の所定の同期ラスタポイントのうちのひとつ以上に対してセルサーチを実行することによって、ＲＦキャリアの同期チャネル部分を特定してもよい。
【００５８】
無線デバイス３１０Ａが同期チャネルの位置を特定した場合、無線デバイスは、完全なＲＦチャネルをさらに特定する必要がある。ある実施の形態では、ネットワークノード（例えば、ネットワークノード３１５Ａ）は、ＲＦキャリアの同期チャネル部分に対する動作帯域内のＲＦキャリアの位置を決定するために無線デバイス３１０Ａによって使用されるシステム情報を決定してもよく、決定されたシステム情報を無線デバイス３１０Ａに送信してもよい。システム情報は、同期チャネルに対するＲＦチャネル中心の位置を特定する。場合によっては、システム情報は１つまたは複数のオフセット値（例えば、１つまたは複数の周波数オフセット値）を含むことができる。ひとつ以上のオフセット値が、少なくとも、ＲＦキャリアの同期チャネル部分からＲＦキャリアの中心周波数までのオフセットを定義する第１オフセット値を含んでもよい。ある場合、ＲＦキャリアの中心周波数がＲＦキャリアに関連付けられたキャリアラスタのキャリアラスタポイントに対応してもよい。このシステム情報はまた、ＲＦチャネル帯域幅、データチャネルのために使用されるサブキャリア間隔、およびネットワークノードとの接続を完全に獲得および／またはセットアップし続けるために無線デバイス３１０Ａによって必要とされる他の情報を提供してもよい。場合によっては、システム情報はまた、ブランキングされたＯＦＤＭサブキャリアに関する情報（例えば、いくつのサブキャリアがブランキングされているか、および送信のどの側でブランキングされたサブキャリアが生じるか）を含み得る。システム情報は、ネットワークノード３１５Ａによって送信され、任意の適切な方法で無線デバイス３１０Ａによって受信され得る。例えば、ある実施の形態では、システム情報はマスタ情報ブロック（ＭＩＢ）、システム情報ブロック（ＳＩＢ）、残存最小システム情報（ＲＭＳＩ）、または上記の何らかの組み合せで送信され得る。
【００５９】
無線デバイス３１０Ａは、ＲＦキャリアの特定された同期チャネル部分に対する、動作帯域におけるＲＦキャリアの位置を決定するのに用いるシステム情報を取得する。無線デバイス３１０Ａは、任意の適切な方法でシステム情報を取得することができる。一例として、無線デバイス３１０Ａは、システム情報（たとえば、ＭＩＢ、ＳＩＢ、および／またはＲＭＳＩ）を含むシステム情報メッセージを受信し得る。ある場合、システム情報の少なくとも一部はＰＢＣＨに含まれてもよい。取得されたシステム情報に基づいて、無線デバイス３１０Ａは、ＲＦキャリアの特定された同期チャネル部分に対する、動作帯域におけるＲＦキャリアの位置を決定する。無線デバイス３１０ＡによってＲＦキャリアの位置を決定するためのプロセスは、図４に関連して以下でより詳細に説明される。ある場合、無線デバイス３１０Ａは、取得されたシステム情報に基づいて、ＲＦキャリアの帯域幅および／またはひとつ以上のデータチャネルのサブキャリア間隔を決定してもよい。
【００６０】
ある実施の形態では、無線デバイス３１０Ａは、ＲＦキャリアを介したネットワークノード３１５Ａとの接続を確立してもよい。場合によっては、無線デバイス３１０Ａは別の周波数にある別のＲＦキャリアへのハンドオーバを実行するためのインストラクションを（たとえば、ネットワークノード３１５Ａから）受信し得る。
【００６１】
上述の通り、ある場合、動作帯域におけるＲＦキャリアの位置がライセンスブロック内で中心になくてもよい。そのようなシナリオでは、無線デバイス３１０ＡはＯＦＤＭシンボルの切り詰められた伝送を（たとえば、ネットワークノード３１５Ａから）受信するか、または（たとえば、ネットワークノード３１５Ａに）送信することができる。切り詰められた伝送は、伝送の少なくとも一方の側でブランクされたひとつ以上のサブキャリアを含んでもよい。上述のように、場合によっては、取得されたシステム情報はブランキングされたサブキャリアに関する情報（例えば、ブランキングされたサブキャリアの数、および送信のどの側にブランキングされたサブキャリアが位置するか）を含み得る。これは図５および６との関連で後に詳述される。
【００６２】
図４は、ある実施の形態による、例示的な同期チャネル周波数およびラスタ、ならびにＲＦチャネル周波数に対するオフセットを示す。より具体的には、図４は、ＲＦキャリア４１０に含まれる同期チャネル４０５のための同期チャネルラスタ４００を示す。同期チャネルラスタ４００は、複数の同期チャネルラスタポイント４１５Ａ〜Ｃを含む。同期チャネル４０５（およびＲＦキャリア４１０）は、複数のサブキャリア４２０から構成される。
【００６３】
上述の通り、無線デバイス（例えば、図３に関連して上述された無線デバイス３１０Ａ）は、ＲＦキャリアの特定された同期チャネル部分に対する、動作帯域におけるＲＦキャリアの位置を、取得されたシステム情報に基づいて、決定する。このプロセス（すなわち、ＲＦキャリア４１０を定義すること）は、２つのステップを含む。ある実施の形態では、ＲＦチャネル周波数を定義する際の第１のステップは、ＲＦキャリア４１０の同期チャネル部分４０５（例えば、ＳＳブロック）を特定することである。図４に示すように、同期チャネルラスタ４００は、ラスタポイント４１５間の間隔ΔＦＳＣ，  Ｒａｓｔｅｒで規定される。同期チャネル４０５は同期ラスタポイント４１５の１つ（例えば、図４の例では同期チャネルラスタポイント４１５Ｂ）にのみ配置することができる。いくつかの実施の形態では、固有の同期チャネルラスタ４００は各動作帯域について指定され、無線デバイス（例えば、図３に関連して上述した無線デバイス３１０Ａ）が初期アクセス時に探索するための、限られた数のラスタポイント４１５を提供する。有利なことに、これは、動作帯域内に一桁以上多くのポイントを有することができる、より細かいＲＦチャネルラスタ上の任意の可能なポイントを探索するタスクと比較して、探索時間を大幅に短縮する。
【００６４】
いくつかの実施の形態では、同期チャネルラスタ４００上の同期チャネルラスタポイント４１５は、ＲＦキャリア４１０の同期チャネル部分４０５の周波数ＦＳＣを定義する５Ｇ−ＲＡＮ同期チャネル番号（ＧＳＣＮ）を介して定義される。動作帯域ごとのラスタは、ラスタポイント間隔ΔＦＳＣ，  Ｒａｓｔｅｒ、第１のラスタポイントＦＳＣ＿ｌｏｗ、および第１のラスタポイント番号ＮＳＣ，ｌｏｗによって設定される。ラスタポイント番号ＮＳＣ（ＧＳＣＮ）の同期チャネル周波数ＦＳＣを定義する式は、以下の式（１）に示される：
ＦＳＣ＝ＦＳＣ，Ｌｏｗ＋ΔＦＳＣ，Ｒａｓｔｅｒ×（ＮＳＣ−ＮＳＣ，Ｌｏｗ）      （１）
同期チャネルラスタ４００は、各々の動作帯域のＧＳＣＮ番号の範囲として定義され、番号の範囲はＮＳＣ，  Ｌｏｗで始まる。
【００６５】
最初のアクセスでは、無線デバイスはＧＳＣＮの知識を有していないが、上記の式（１）から定義される所定のラスタを知っている。それによって、それは、それらの所定のラスタポイントに対してセルサーチを実行する。
【００６６】
いくつかの実施の形態では、ＲＦチャネル周波数を定義する第２のステップは、同期チャネル周波数ＦＳＣに関連して定義されるＲＦチャネル周波数ＦＣＨを特定する。ある実施の形態では、５Ｇ−ＲＡＮ無線周波数チャネルオフセット（ＧＲＦＣＯ）は同期チャネルからＲＦキャリア中心周波数へのオフセットを定義する。ＲＦチャネルラスタは、同期チャネルラスタ４００上のそれぞれのポイントに対して、ラスタポイント間の間隔ΔＦＣＨ，  Ｒａｓｔｅｒを伴って定義される。いくつかの実施の形態では、ＲＦチャネルはＲＦチャネルラスタポイントのうちの１つにのみ配置することができ、その周波数は図４に示すように、同期チャネルの周波数に対するオフセットとして表される。オフセット（および対応するＧＲＦＣＯ）は、正および負の両方であり得る。
【００６７】
各々の同期チャネルラスタ周波数ポイントＦＳＣのＲＦチャネルラスタは、同期チャネルラスタ間隔ΔＦＳＣ，  Ｒａｓｔｅｒの（少なくとも）全幅をカバーする範囲を伴って、ＲＦチャネルラスタポイント間隔ΔＦＣＨ，  ＲａｓｔｅｒによってＦＳＣに対して設定される。ある実施の形態では、オフセットＮＣＨ，  Ｏｆｆｓ（ＧＲＦＣＯ）を伴うＲＦチャネル周波数ＦＣＨを定義する式は、以下の式（２）に示される通りである：
ＦＣＨ＝ＦＳＣ＋ΔＦＣＨ，Ｒａｓｔｅｒ×ＮＣＨ，Ｏｆｆｓ      （２）
場合によっては、無線デバイスは、ネットワークノード（たとえば、図３に関連して上述したネットワークノード３１５Ａ）から、ＧＲＦＣＯを提供され得る。例えば、ＧＲＦＣＯは、同期チャネル４０５と共にＲＦキャリア４１０上に置かれ、したがって、ＲＦチャネルの完全な知識なしに読み取ることができるシステム情報メッセージでネットワークノードによって送信され得る。システム情報が読み取られると、無線デバイスはＲＦチャネル周波数ＦＣＨ、および、ある実施の形態では、ＲＦチャネル帯域幅、データチャネルのサブキャリア間隔、または任意の他の適切な情報などの、システム情報において提供される他の情報を知ることになる。ある実施の形態では、ＲＦチャネル周波数ＦＣＨはＲＦキャリア４１０の中心周波数であってもよく、ＲＦキャリア４１０に関連付けられたキャリアラスタのキャリアラスタポイントに対応してもよい。
【００６８】
ペアスペクトルにおいて、ＧＳＣＮおよびＧＲＦＣＯは、ＤＬ  ＲＦキャリア周波数を定義する。ＵＬ  ＲＦチャネル周波数は、固定された複信間隔を有する固定された周波数オフセットを介してＤＬ  ＲＦチャネル周波数と直接的な関係を有する。可変複信間隔の場合、ＵＬとＤＬとの間の周波数オフセットは（例えば、システム情報メッセージまたは他のメッセージを通じて）無線デバイスに提供されうる。
【００６９】
図３に関連して上述したように、ある実施の形態では、無線デバイスは別の周波数のＲＦチャネルへのハンドオーバを実行するように命令され得る。そのようなシナリオでは、他のＲＦチャネルの同期チャネルを見つけるためには、ＧＳＣＮのみを無線デバイスに提供することで十分であろう。ＧＳＣＮとＧＲＦＣＯの両方を、可能であればＲＦキャリアに関するさらに多くの情報と一緒に提供することで、ハンドオーバを有利に高速化することができる。
【００７０】
最大スペクトル利用を達成するために、キャリア（例えば、図４に関連して上述したＲＦキャリア４１０）は、通常、ＯＦＤＭ送信の側部で最小の「ガード」を有するように設計される。それでもなお、任意の望ましくない放出（例えば、変調スペクトルや送信機における不完全性によって生成される放射）は、規制または他の仕様によって設定される放射限界内になければならない。その場合、キャリアは、側部のガードバンドを含めて、ＲＦチャネルと同じサイズのオペレータライセンスブロック内にかろうじて配置することができる。しかしながら、ＲＦチャネル位置が本明細書に記載された方法で定義される場合、（同期チャネルラスタおよびＲＦチャネルラスタの両方がサブキャリア間隔と揃えられるので）キャリアをどのように配置することができるかに制約があり、ＲＦキャリアをライセンスブロックの中心に配置することを困難にする。上述の通り、これは、ＲＦ放射がライセンスブロックの一方の側で「こぼれ」るかもしれず、潜在的に、動作に課されるライセンス条件または他の規則に違反するリスクを生じさせる。
【００７１】
図５は、ある実施の形態による、望ましくない放射を伴う例示的なオペレータライセンスブロック５００を示す。より具体的には、図５が複数のサブキャリア５０５（そのうちの１つ５０５Ａが図に示されている）から構成されるオペレータライセンスブロック５００を示す。図５の例におけるサブキャリアの数は、個々のサブキャリアの効果を増幅するために（上述の図２および図４の例と比較して）大幅に低減されていることに留意されたい。通常、ＲＦチャネルは、数百または数千ものサブキャリアを含む。
【００７２】
図５の例では、規制または他の仕様で設定することができる放射限界５１０は、例えば、変調スペクトルおよび送信機の不完全性によって生成される不要な放射の限界を定義する。図５の例から分かるように、望ましくない放射５１５は、サブキャリア５０５Ａの側にこぼれ、放射限界５１０を超え、潜在的に、動作に課されるライセンス条件または他の規制に違反する。これを回避するための１つの例示的なアプローチは、図６に関連して以下に記載される。
【００７３】
図６は、ある実施の形態による、ＲＦキャリアが固定ＲＦグリッド上に配置される場合の例示的なオペレータライセンスブロックを示す。より具体的には、図６が複数のサブキャリア６０５（そのうちの１つ６０５Ａが図に示されている）から構成されるオペレータライセンスブロック６００を示す。上述の図５と同様に、図６の例におけるサブキャリアの数は、個々のサブキャリアの効果を増幅するために（上述の図２および図４の例と比較して）大幅に低減されていることに留意されたい。図６の例では、規制または他の仕様で設定することができる放射限界６１０は、例えば、変調スペクトルおよび送信機の不完全性によって生成される不要な放射の限界を定義する。
【００７４】
図６に示すように、ＲＦキャリアが固定ＲＦチャネルグリッド上に置かれると、ブロックの中心にＲＦチャネルラスタ位置がないので、チャネルはライセンスブロック６００内でオフセットしてもよい。図６の例示的な実施の形態では、ＲＦチャネルはライセンスブロック６００の左側にシフトされ、サブキャリア６０５Ａの左側の不要な放射６１５がこぼれ、規制によって設定された放射限界６１０を超えるようになる。図６の例では、これはサブキャリア６０５Ａをブランキングすることによって回避され、その結果、望ましくない放射６１５が放射限界６０５内に含まれることになる。
【００７５】
例えば、ネットワークノード（図３に関連して上述したネットワークノード３１５Ａなど）は、動作帯域内のＲＦキャリアの位置がライセンスブロック内の中心にないことを判定することができる。そのようなシナリオでは、ネットワークノード３１５Ａは例えば、ブランキングすべきサブキャリアの数、および送信のどの側でブランキングされたサブキャリアが発生するかを含むシステム情報を決定することができる。ネットワークノード３１５Ａは、決定されたシステム情報（ブランキングされたサブキャリアに関する情報を含む）を、無線デバイス（図３に関連して上述した無線デバイス３１０Ａなど）に送信する。その後、ネットワークノード（および／または無線デバイス）は、ＯＦＤＭシンボルの１つまたは複数の切り詰められた伝送を送信および／または受信することができる。ある実施の形態では、切り詰められた伝送は、伝送の少なくとも一方の側でブランクされたひとつ以上のサブキャリアを含んでもよい。
【００７６】
図７は、ある実施の形態による、無線デバイスにおける方法のフロー図７００である。方法７００はステップ７０４で始まり、そこでは、無線デバイスは、動作帯域におけるＲＦキャリアの同期チャネル部分を特定する。ある実施の形態では、前記動作帯域における前記ＲＦキャリアの前記同期チャネル部分を特定することは、前記ＲＦキャリアの前記同期チャネル部分に関連付けられた同期チャネルラスタに基づいて複数の所定の同期ラスタポイントを決定することであって、前記複数の所定の同期ラスタポイントのそれぞれが、前記ＲＦキャリアの前記同期チャネル部分の可能な位置を定義する、決定することと前記複数の所定の同期ラスタポイントのうちのひとつ以上に対してセルサーチを実行することによって、前記ＲＦキャリアの前記同期チャネル部分を特定することと、を含んでもよい。
【００７７】
ある実施の形態では、ＲＦキャリアの同期チャネル部分が、ＰＢＣＨと一緒に送信されるＰＳＳとＳＳＳとを有するＳＳブロックを含んでもよい。ある実施の形態では、前記システム情報の少なくとも一部は前記ＰＢＣＨに含まれてもよい。
【００７８】
ステップ７０８で、無線デバイスは、ＲＦキャリアの特定された同期チャネル部分に対する、動作帯域におけるＲＦキャリアの位置を決定するのに用いるシステム情報を取得する。ある実施の形態では、システム情報を取得することはシステム情報メッセージを受信することを含んでもよい。
【００７９】
ある実施の形態では、前記取得されたシステム情報が、ひとつ以上のオフセット値を含んでもよい。ある実施の形態では、前記ひとつ以上のオフセット値が、少なくとも、前記ＲＦキャリアの前記同期チャネル部分から前記ＲＦキャリアの中心周波数までのオフセットを定義する第１オフセット値を含んでもよい。ある実施の形態では、前記ＲＦキャリアの前記中心周波数が前記ＲＦキャリアに関連付けられたキャリアラスタのキャリアラスタポイントに対応してもよい。
【００８０】
ステップ７１２で、無線デバイスは、ＲＦキャリアの特定された同期チャネル部分に対する、動作帯域におけるＲＦキャリアの位置を、取得されたシステム情報に基づいて、決定する。
【００８１】
ある実施の形態では、方法は、前記取得されたシステム情報に基づいて、以下のうちのひとつ以上を決定することを含んでもよい：前記ＲＦキャリアの帯域幅；およびひとつ以上のデータチャネルのサブキャリア間隔。ある実施の形態では、方法は、前記ＲＦキャリアを介したネットワークノードとの接続を確立することを含んでもよい。ある実施の形態では、方法は、別の周波数の別のＲＦキャリアへのハンドオーバを行う指示を受信することを含んでもよい。
【００８２】
ある実施の形態では、動作帯域におけるＲＦキャリアの位置がライセンスブロック内で中心になく、方法は、ＯＦＤＭシンボルの切り詰められた伝送を受信することを含んでもよい。切り詰められた伝送が、伝送の少なくとも一方の側でブランクされたひとつ以上のサブキャリアを含んでもよい。ある実施の形態では、動作帯域におけるＲＦキャリアの位置がライセンスブロック内で中心になく、方法は、ＯＦＤＭシンボルの切り詰められた伝送を送信することを含んでもよい。切り詰められた伝送が、伝送の少なくとも一方の側でブランクされたひとつ以上のサブキャリアを含んでもよい。
【００８３】
図８は、ある実施の形態による、ネットワークノードにおける方法のフロー図８００である。方法８００はステップ８０４で始まり、そこでは、ネットワークノードは、動作帯域におけるＲＦキャリアの、ＲＦキャリアの同期チャネル部分に対する位置を決定するために無線デバイスによって用いられるシステム情報を決定する。ある実施の形態では、前記決定されたシステム情報が、ひとつ以上のオフセット値を含んでもよい。ある実施の形態では、前記ひとつ以上のオフセット値が、少なくとも、前記ＲＦキャリアの前記同期チャネル部分から前記ＲＦキャリアの中心周波数までのオフセットを定義する第１オフセット値を含んでもよい。ある実施の形態では、前記ＲＦキャリアの前記中心周波数が前記ＲＦキャリアに関連付けられたキャリアラスタのキャリアラスタポイントに対応してもよい。
【００８４】
ある実施の形態では、前記決定されたシステム情報は以下のうちのひとつ以上を含む：ＲＦキャリアの帯域幅；およびひとつ以上のデータチャネルのサブキャリア間隔。
【００８５】
ある実施の形態では、ＲＦキャリアの同期チャネル部分が、ＰＢＣＨと一緒に送信されるＰＳＳとＳＳＳとを有するＳＳブロックを含んでもよい。
【００８６】
ステップ８０８で、ネットワークノードは、決定されたシステム情報を無線デバイスに送信する。ある実施の形態では、前記決定されたシステム情報を無線デバイスに送信することが、決定されたシステム情報の少なくとも一部を、無線デバイスに、前記ＰＢＣＨにおいて送信することを含んでもよい。
【００８７】
ある実施の形態では、方法は、前記ＲＦキャリアを介した前記無線デバイスとの接続を確立することを含んでもよい。ある実施の形態では、方法は、別の周波数の別のＲＦキャリアへのハンドオーバを行う指示を前記無線デバイスに送信することを含んでもよい。
【００８８】
ある実施の形態では、動作帯域におけるＲＦキャリアの位置がライセンスブロック内で中心になく、方法は、ＯＦＤＭシンボルの切り詰められた伝送を受信することを含んでもよい。切り詰められた伝送が、伝送の少なくとも一方の側でブランクされたひとつ以上のサブキャリアを含んでもよい。ある実施の形態では、動作帯域におけるＲＦキャリアの位置がライセンスブロック内で中心になく、方法は、ＯＦＤＭシンボルの切り詰められた伝送を送信することを含んでもよい。切り詰められた伝送が、伝送の少なくとも一方の側でブランクされたひとつ以上のサブキャリアを含んでもよい。
【００８９】
図９は、ある実施の形態による、例示的な無線デバイス３１０のブロック模式図である。無線装置３１０は、セルラまたはモバイル通信システムにおいてノードおよび／または別の無線デバイスと通信する任意のタイプの無線デバイスを指すことができる。無線デバイス３１０の例は、携帯電話、スマートフォン、ＰＤＡ、可搬コンピュータ（例えば、ラップトップ、タブレット）、センサ、アクチュエータ、モデム、ＭＴＣデバイス／Ｍ２Ｍデバイス、ＬＥＥ、ＬＭＥ、ＵＳＢドングル、Ｄ２Ｄ可能デバイス、または無線通信を提供可能な任意の他のデバイスを含む。いくつかの実施の形態では、無線デバイス３１０はＵＥ、ステーション（ＳＴＡ）、デバイス、または端末とも呼ばれ得る。無線デバイス３１０は、トランシーバ９１０と、処理回路９２０と、メモリ９３０と、を含む。ある実施の形態では、トランシーバ９１０は、ネットワークノード３１５への（例えば、アンテナ９４０を介した）無線信号の送信およびネットワークノード３１５からの（例えば、アンテナ９４０を介した）無線信号の受信を促進し、処理回路９２０はインストラクションを実行することで上で無線デバイス３１０によって提供されるものとして説明されている機能のいくつかまたは全てを提供し、メモリ９３０は処理回路９２０によって実行されるインストラクションを保持する。
【００９０】
処理回路９２０は、インストラクションを実行しデータを操作することで、図１〜８に関して上述された無線デバイス３１０の機能などの無線デバイス３１０の説明される機能のうちのいくつかまたは全てを行うために、ひとつ以上のモジュールで実装されるハードウエアおよびソフトウエアの任意の適切な組み合わせを含んでもよい。ある実施の形態では、処理回路９２０は、例えば、ひとつ以上のコンピュータ、ひとつ以上の中央演算ユニット（ＣＰＵ）、ひとつ以上のマイクロプロセッサ、ひとつ以上のアプリケーション、ひとつ以上の特定用途向き集積回路（ＡＳＩＣ）、ひとつ以上のフィールドプログラマブルゲートアレイ（ＦＰＧＡ）および／または他のロジック、を含んでもよい。
【００９１】
メモリ９３０は一般に、コンピュータプログラム、ソフトウエア、論理や規則やアルゴリズムやコードやテーブルなどのうちの１つまたは複数を含むアプリケーション、および／または処理回路９２０によって実行可能な他のインストラクションなどのインストラクションを保持するように動作可能である。メモリ９３０の例は、コンピュータメモリ（例えば、ランダムアクセスメモリ（ＲＡＭ）やリードオンリメモリ（ＲＯＭ））、大容量ストレージ媒体（例えば、ハードディスク）、リムーバブルストレージ媒体（例えば、コンパクトディスク（ＣＤ）やデジタルビデオディスク（ＤＶＤ））、および／または情報やデータおよび／または処理回路９２０によって使用されてもよいインストラクションを保持する任意の他の揮発性または不揮発性、非一時的コンピュータ可読および／またはコンピュータ実行可能メモリデバイスを含む。
【００９２】
無線デバイス３１０の他の実施の形態は、無線デバイスの機能のある側面を提供することの責を負う、図９に示されるものを超える追加的なコンポーネントを含んでもよく、そのような機能は本明細書に記載される機能のいずれかおよび／または追加的な機能（上述の解をサポートするのに必要な機能を含む）を含む。一例として、無線デバイス３１０は、入力デバイスおよび回路と、出力デバイスと、ひとつ以上の同期ユニットまたは回路と、を含んでもよく、それらは処理回路９２０の一部であってもよい。入力デバイスは、無線デバイス３１０へのデータ入力のためのメカニズムを含む。例えば、入力デバイスは、マイクロフォンや入力要素やディスプレイなどの入力メカニズムを含んでもよい。出力デバイスは、音声フォーマット、ビデオフォーマットおよび／またはハードコピーフォーマットでデータを出力するためのメカニズムを含んでもよい。例えば、出力デバイスは、スピーカーやディスプレイなどを含んでもよい。
【００９３】
図１０は、ある実施の形態による、例示的なネットワークノード３１５のブロック模式図である。ネットワークノード３１５は、任意のタイプの無線ネットワークノード、またはＵＥおよび／または別のネットワークノードと通信する任意のネットワークノードであってもよい。ネットワークノード３１５の例は、ｅＮＢ、ノードＢ、ＢＳ、無線ＡＰ（例えば、Ｗｉ−Ｆｉ  ＡＰ）、低電力ノード、ＢＴＳ、リレー、リレーを制御するドナーノード、伝送ポイント、伝送ノード、ＲＲＵ、ＲＲＨ、ＭＳＲ  ＢＳなどのＭＳＲ無線ノード、ＤＡＳにおけるノード、Ｏ＆Ｍ、ＯＳＳ、ＳＯＮ、位置決めノード（例えば、Ｅ−ＳＭＬＣ）、ＭＤＴ、または任意の他の適切なネットワークノードを含む。ネットワークノード３１５は、同種配備、異種配備、または混合配備として、ネットワーク全体にわたって配備され得る。同種配備は一般に、同じ（または同様の）タイプのネットワークノード３１５、および／または同様のカバレッジおよびセルサイズ、ならびにサイト間距離から構成される配備を記述することができる。異種配備は一般に、異なるセルサイズ、送信電力、容量、およびサイト間距離を有する様々なタイプのネットワークノード３１５を使用する配備を記述することができる。例えば、異種配備は、マクロセルレイアウト全体にわたって配置された複数の低電力ノードを含むことができる。混合配備は、同種部分と異種部分との混合を含むことができる。
【００９４】
ネットワークノード３１５は、トランシーバ１０１０、処理回路１０２０、メモリ１０３０、およびネットワークインタフェース１０４０のうちの１つまたは複数を含むことができる。ある実施の形態では、トランシーバ１０１０は、無線デバイス３１０へ（例えば、アンテナ１０５０を介して）無線信号を送信することおよび無線デバイス３１０から（例えば、アンテナ１０５０を介して）無線信号を受信することを促進し、処理回路１０２０はインストラクションを実行することでネットワークノード３１５によって提供されるものとして上述されている機能のいくつかまたは全てを提供し、メモリ１０３０は処理回路１０２０によって実行されるインストラクションを保持し、ネットワークインタフェース１０４０は、ゲートウエイ、スイッチ、ルータ、インターネット、公衆電話交換網（ＰＳＴＮ）、コアネットワークノードまたは無線ネットワークコントローラ１３０等に信号を伝送する。
【００９５】
処理回路１０２０は、インストラクションを実行しデータを操作することで、図１〜８に関して上述されたものなどの、ネットワークノード３１５の説明される機能のうちのいくつかまたは全てを行うために、ひとつ以上のモジュールで実装されるハードウエアおよびソフトウエアの任意の適切な組み合わせを含んでもよい。ある実施の形態では、処理回路１０２０は、例えば、ひとつ以上のコンピュータ、ひとつ以上のＣＰＵ、ひとつ以上のマイクロプロセッサ、ひとつ以上のアプリケーション、ひとつ以上のＡＳＩＣ、ひとつ以上のＦＰＧＡおよび／または他のロジック、を含んでもよい。
【００９６】
メモリ１０３０は一般に、コンピュータプログラム、ソフトウエア、論理や規則やアルゴリズムやコードやテーブルなどのうちの１つまたは複数を含むアプリケーション、および／または処理回路１０２０によって実行可能な他のインストラクションなどのインストラクションを保持するように動作可能である。メモリ１０３０の例は、コンピュータメモリ（例えば、ＲＡＭやＲＯＭ）、大容量ストレージ媒体（例えば、ハードディスク）、リムーバブルストレージ媒体（例えば、ＣＤやＤＶＤ）、および／または情報を保持する任意の他の揮発性または不揮発性、非一時的コンピュータ可読および／またはコンピュータ実行可能メモリデバイスを含む。
【００９７】
ある実施の形態では、ネットワークインタフェース１０４０は処理回路１０２０に通信可能に結合され、ネットワークノード３１５への入力を受信し、ネットワークノード３１５からの出力を送信し、そのような入力または出力もしくはその両方の適切な処理を実行し、他のデバイスと通信し、またはそれらの任意の組み合わせを行うよう動作する任意の適切なデバイスを指してもよい。ネットワークインタフェース１０４０は、ネットワークを通じて通信するための、適切なハードウエア（例えば、ポート、モデム、ネットワークインタフェースカードなど）とソフトウエア（プロトコル変換およびデータ処理能力を含む）とを含んでもよい。
【００９８】
ネットワークノード３１５の他の実施の形態は、無線ネットワークノードの機能のある側面を提供することの責を負う、図１０に示されるものを超える追加的なコンポーネントを含んでもよく、そのような機能は上述の機能のいずれかおよび／または追加的な機能（上述の解をサポートするのに必要な機能を含む）を含む。種々の異なるタイプのネットワークノードは、同じ物理的なハードウエアを有するが異なる無線アクセス技術をサポートするよう（例えば、プログラミングを介して）構成されたコンポーネントを含んでもよく、または部分的にまたは完全に異なる物理的コンポーネントを表してもよい。
【００９９】
図１１は、ある実施の形態による、例示的なＲＮＣまたはコアネットワークノード１３０のブロック模式図である。ネットワークノードの例は、ＭＳＣ、サービングジェネラルパケットラジオサービス（ＧＰＲＳ）サポートノード（ＳＧＳＮ）、ＭＭＥ、ＲＮＣ、ＢＳＣなどを含んでもよい。ＲＮＣまたはコアネットワークノード１３０は、処理回路１１２０と、メモリ１１３０と、ネットワークインタフェース１１４０と、を含む。いくつかの実施の形態では、処理回路１１２０は、ネットワークノードによって提供されるものとして上述した機能の一部またはすべてを提供するためのインストラクションを実行し、メモリ１１３０は、処理回路１１２０によって実行されるインストラクションを保存し、ネットワークインタフェース１１４０は、ゲートウェイ、スイッチ、ルータ、インターネット、ＰＳＴＮ、ネットワークノード３１５、ＲＮＣまたはコアネットワークノード１３０などの任意の適切なノードに信号を通信する。
【０１００】
処理回路１１２０は、インストラクションを実行しデータを操作することで無線ネットワークコントローラまたはコアネットワークノード１３０の説明される機能のうちのいくつかまたは全てを行うために、ひとつ以上のモジュールで実装されるハードウエアおよびソフトウエアの任意の適切な組み合わせを含んでもよい。ある実施の形態では、処理回路１１２０は、例えば、ひとつ以上のコンピュータ、ひとつ以上のＣＰＵ、ひとつ以上のマイクロプロセッサ、ひとつ以上のアプリケーション、ひとつ以上のＡＳＩＣ、ひとつ以上のＦＰＧＡおよび／または他のロジック、を含んでもよい。
【０１０１】
メモリ１１３０は一般に、コンピュータプログラム、ソフトウエア、論理や規則やアルゴリズムやコードやテーブルなどのうちの１つまたは複数を含むアプリケーション、および／または処理回路１１２０によって実行可能な他のインストラクションなどのインストラクションを保持するように動作可能である。メモリ１１３０の例は、コンピュータメモリ（例えば、ＲＡＭやＲＯＭ）、大容量ストレージ媒体（例えば、ハードディスク）、リムーバブルストレージ媒体（例えば、ＣＤやＤＶＤ）、および／または情報を保持する任意の他の揮発性または不揮発性、非一時的コンピュータ可読および／またはコンピュータ実行可能メモリデバイスを含む。
【０１０２】
ある実施の形態では、ネットワークインタフェース１１４０は処理回路１１２０に通信可能に結合され、ネットワークノードへの入力を受信し、ネットワークノードからの出力を送信し、そのような入力または出力もしくはその両方の適切な処理を実行し、他のデバイスと通信し、またはそれらの任意の組み合わせを行うよう動作する任意の適切なデバイスを指してもよい。ネットワークインタフェース１１４０は、ネットワークを通じて通信するための、適切なハードウエア（例えば、ポート、モデム、ネットワークインタフェースカードなど）とソフトウエア（プロトコル変換およびデータ処理能力を含む）とを含んでもよい。
【０１０３】
ネットワークノードの他の実施の形態は、ネットワークノードの機能のある側面を提供することの責を負う、図１１に示されるものを超える追加的なコンポーネントを含んでもよく、そのような機能は上述の機能のいずれかおよび／または追加的な機能（上述の解をサポートするのに必要な機能を含む）を含む。
【０１０４】
図１２は、ある実施の形態による、例示的な無線デバイスの模式的ブロック図である。無線デバイス３１０はひとつ以上のモジュールを含んでもよい。例えば、無線デバイス３１０は、決定モジュール１２１０と、通信モジュール１２２０と、受信モジュール１２３０と、入力モジュール１２４０と、ディスプレイモジュール１２５０と、任意の他の適切なモジュールと、を含んでもよい。ある実施の形態では、決定モジュール１２１０と、通信モジュール１２２０と、受信モジュール１２３０と、入力モジュール１２４０と、ディスプレイモジュール１２５０と、任意の他の適切なモジュールと、のうちのひとつ以上は、図９に関して上述された処理回路９２０などのひとつ以上のプロセッサを用いて実現されてもよい。特定の実施の形態では、様々なモジュールのうちの２つ以上の機能は単一のモジュールに組み入れられてもよい。ある実施の形態では、無線デバイス３１０は、図１２に示される各モジュールを含まなくてもよい（例えば、無線デバイス３１０は、ある例において、入力モジュール１２４０および／またはディスプレイモジュール１２５０を含まなくてもよい）。無線デバイス３１０は、図１〜８に関して上述されたチャネルラスタおよびナンバリングの方法を実行してもよい。
【０１０５】
決定モジュール１２１０は、無線デバイス３１０の処理機能を行ってもよい。一例として、決定モジュール１２１０は、動作帯域におけるＲＦキャリアの同期チャネル部分を特定してもよい。ある実施の形態では、決定モジュール１２１０は、ＲＦキャリアの同期チャネル部分を特定してもよく、これは、ＲＦキャリアの同期チャネル部分に関連付けられた同期チャネルラスタに基づいて複数の所定の同期ラスタポイントを決定することであって、複数の所定の同期ラスタポイントのそれぞれが、ＲＦキャリアの同期チャネル部分の可能な位置を定義する、決定することと、複数の所定の同期ラスタポイントのうちのひとつ以上に対してセルサーチを実行することによって、ＲＦキャリアの同期チャネル部分を特定することと、による。別の例では、決定モジュール１２１０は、ＲＦキャリアの特定された同期チャネル部分に対する、動作帯域におけるＲＦキャリアの位置を決定するのに用いるシステム情報を取得してもよい。さらに別の例では、決定モジュール１２１０は、ＲＦキャリアの特定された同期チャネル部分に対する、動作帯域におけるＲＦキャリアの位置を、取得されたシステム情報に基づいて、決定してもよい。さらに別の例では、決定モジュール１２１０は、取得されたシステム情報に基づいて、以下のうちのひとつ以上を決定することを含んでもよい：ＲＦキャリアの帯域幅；およびひとつ以上のデータチャネルのサブキャリア間隔。別の例では、決定モジュール１２１０は、ＲＦキャリアを介したネットワークノードとの接続を確立してもよい。別の例では、決定モジュール１２１０は、動作帯域におけるＲＦキャリアの位置がライセンスブロック内で中心にないと判定してもよい。
【０１０６】
決定モジュール１２１０は、図９に関して上述された処理回路９２０などのひとつ以上のプロセッサを含んでもよいし、それに含まれてもよい。決定モジュール１２１０は、上述の決定モジュール１２１０および／または処理回路９２０の機能のいずれかを実行するよう構成されたアナログおよび／またはデジタル回路を含んでもよい。上述の決定モジュール１２１０の機能は、ある実施の形態では、ひとつ以上の個別のモジュールにおいて実行されてもよい。
【０１０７】
通信モジュール１２２０は、無線デバイス３１０の伝送機能を行ってもよい。一例として、通信モジュール１２２０は、ＯＦＤＭシンボルの切り詰められた伝送を送信してもよい（例えば、切り詰められた伝送が、伝送の少なくとも一方の側でブランクされたひとつ以上のサブキャリアを含む）。通信モジュール１２２０は、図９に関して上述されたトランシーバ９１０などの送信器および／またはトランシーバを含んでもよい。通信モジュール１２２０は、メッセージおよび／または信号を無線送信するよう構成された回路を含んでもよい。特定の実施の形態では、通信モジュール１２２０は、決定モジュール１２１０から、送信用のメッセージおよび／または信号を受信してもよい。ある実施の形態では、上述の通信モジュール１２２０の機能はひとつ以上の個別のモジュールにおいて実行されてもよい。
【０１０８】
受信モジュール１２３０は、無線デバイス３１０の受信機能を行ってもよい。例えば、受信モジュール１２３０は、（例えば、システム情報メッセージを受信することによって）ＲＦキャリアの特定された同期チャネル部分に対する、動作帯域におけるＲＦキャリアの位置を決定するのに用いるシステム情報を取得してもよい。他の例では、受信モジュール１２３０は、別の周波数の別のＲＦキャリアへのハンドオーバを行う指示を受信してもよい。さらに別の例では、受信モジュール１２３０は、ＯＦＤＭシンボルの切り詰められた伝送を受信してもよい（例えば、切り詰められた伝送が、伝送の少なくとも一方の側でブランクされたひとつ以上のサブキャリアを含む）。受信モジュール１２３０は、受信器および／またはトランシーバを含んでもよい。受信モジュール１２３０は、図９に関して上述されたトランシーバ９１０などの受信器および／またはトランシーバを含んでもよい。受信モジュール１２３０は、メッセージおよび／または信号を無線受信するよう構成された回路を含んでもよい。特定の実施の形態では、受信モジュール１２３０は、受信されたメッセージおよび／または信号を決定モジュール１２１０に伝えてもよい。上述の受信モジュール１２３０の機能は、ある実施の形態では、ひとつ以上の個別のモジュールにおいて実行されてもよい。
【０１０９】
入力モジュール１２４０は、無線デバイス３１０用として意図されたユーザ入力を受けてもよい。例えば、入力モジュールは、キー押し下げ、ボタン押し下げ、接触、スワイプ、音声信号、ビデオ信号、および／または任意の他の適切な信号を受信してもよい。入力モジュールは、ひとつ以上のキー、ボタン、レバー、スイッチ、タッチスクリーン、マイクロフォン、および／またはカメラを含んでもよい。入力モジュールは、受信した信号を決定モジュール１２１０に伝えてもよい。上述の入力モジュール１２４０の機能は、ある実施の形態では、ひとつ以上の個別のモジュールにおいて実行されてもよい。
【０１１０】
ディスプレイモジュール１２５０は、無線デバイス３１０のディスプレイに信号を提示してもよい。ディスプレイモジュール１２５０は、ディスプレイと、および／または、ディスプレイに信号を提示するよう構成された任意の適切な回路およびハードウエアと、を含んでもよい。ディスプレイモジュール１２５０は、決定モジュール１２１０から、ディスプレイに提示すべき信号を受信してもよい。上述のディスプレイモジュール１２５０の機能は、ある実施の形態では、ひとつ以上の個別のモジュールにおいて実行されてもよい。
【０１１１】
決定モジュール１２１０、通信モジュール１２２０、受信モジュール１２３０、入力モジュール１２４０、およびディスプレイモジュール１２５０は、ハードウエアおよび／またはソフトウエアの任意の適切な構成を含んでもよい。無線デバイス３１０は、任意の適切な機能を提供することの責を負う、図１２に示されるものを超える追加的なモジュールを含んでもよく、そのような機能は上述の機能のいずれかおよび／または追加的な機能（上述の様々な解をサポートするのに必要な機能を含む）を含む。
【０１１２】
図１３は、ある実施の形態による、例示的なネットワークノード３１５の模式的ブロック図である。ネットワークノード３１５はひとつ以上のモジュールを含んでもよい。例えば、ネットワークノード３１５は、決定モジュール１３１０と、通信モジュール１３２０と、受信モジュール１３３０と、任意の他の適切なモジュールと、を含んでもよい。ある実施の形態では、決定モジュール１３１０と、通信モジュール１３２０と、受信モジュール１３３０と、任意の他の適切なモジュールと、のうちのひとつ以上は、図１０に関して上述された処理回路１０２０などのひとつ以上のプロセッサを用いて実現されてもよい。特定の実施の形態では、様々なモジュールのうちの２つ以上の機能は単一のモジュールに組み入れられてもよい。ある実施の形態では、ネットワークノード３１５は図１３に示される各モジュールを含まなくてもよい。ネットワークノード３１５は、図１〜８に関して上述されたチャネルラスタおよびナンバリングの方法を実行してもよい。
【０１１３】
決定モジュール１３１０は、ネットワークノード３１５の処理機能を行ってもよい。一例として、決定モジュール１３１０は、動作帯域におけるＲＦキャリアの、ＲＦキャリアの同期チャネル部分に対する位置を決定するために無線デバイスによって用いられるシステム情報を決定してもよい。別の例では、決定モジュール１３１０は、ＲＦキャリアを介した無線デバイスとの接続を確立してもよい。さらに別の例では、決定モジュール１３１０は、動作帯域におけるＲＦキャリアの位置がライセンスブロック内で中心にないと判定してもよい。決定モジュール１３１０は、図１０に関して上述された処理回路１０２０などのひとつ以上のプロセッサを含んでもよいし、それに含まれてもよい。決定モジュール１３１０は、上述の決定モジュール１３１０および／または処理回路１０２０の機能のいずれかを実行するよう構成されたアナログおよび／またはデジタル回路を含んでもよい。決定モジュール１３１０の機能は、ある実施の形態では、ひとつ以上の個別のモジュールにおいて実行されてもよい。
【０１１４】
通信モジュール１３２０は、ネットワークノード３１５の伝送機能を行ってもよい。一例として、通信モジュール１３２０は、決定されたシステム情報を無線デバイスに送信してもよい（ある実施の形態では、決定されたシステム情報の少なくとも一部を、無線デバイスに、ＰＢＣＨにおいて送信することによって）。他の例では、通信モジュール１３２０は、別の周波数の別のＲＦキャリアへのハンドオーバを行う指示を無線デバイスに送信してもよい。さらに別の例では、通信モジュール１３２０は、ＯＦＤＭシンボルの切り詰められた伝送を送信してもよい（例えば、切り詰められた伝送が、伝送の少なくとも一方の側でブランクされたひとつ以上のサブキャリアを含む）。通信モジュール１３２０は、無線デバイス３１０のうちのひとつ以上にメッセージを送信してもよい。通信モジュール１３２０は、図１０に関して上述されたトランシーバ１０１０などの送信器および／またはトランシーバを含んでもよい。通信モジュール１３２０は、メッセージおよび／または信号を無線送信するよう構成された回路を含んでもよい。特定の実施の形態では、通信モジュール１３２０は、決定モジュール１３１０または任意の他のモジュールから、送信用のメッセージおよび／または信号を受信してもよい。通信モジュール１３２０の機能は、ある実施の形態では、ひとつ以上の個別のモジュールにおいて実行されてもよい。
【０１１５】
受信モジュール１３３０は、ネットワークノード３１５の受信機能を行ってもよい。一例として、受信モジュール１３３０は、ＯＦＤＭシンボルの切り詰められた伝送を受信してもよい（例えば、切り詰められた伝送が、伝送の少なくとも一方の側でブランクされたひとつ以上のサブキャリアを含む）。受信モジュール１３３０は、無線デバイスから、任意の適切な情報を受信してもよい。受信モジュール１３３０は、図１０に関して上述されたトランシーバ１０１０などの受信器および／またはトランシーバを含んでもよい。受信モジュール１３３０は、メッセージおよび／または信号を無線受信するよう構成された回路を含んでもよい。特定の実施の形態では、受信モジュール１３３０は、受信されたメッセージおよび／または信号を決定モジュール１３１０または任意の他の適切なモジュールに伝えてもよい。受信モジュール１３３０の機能は、ある実施の形態では、ひとつ以上の個別のモジュールにおいて実行されてもよい。
【０１１６】
決定モジュール１３１０、通信モジュール１３２０、および受信モジュール１３３０は、ハードウエアおよび／またはソフトウエアの任意の適切な構成を含んでもよい。ネットワークノード３１５は、任意の適切な機能を提供することの責を負う、図１３に示されるものを超える追加的なモジュールを含んでもよく、そのような機能は上述の機能のいずれかおよび／または追加的な機能（上述の様々な解をサポートするのに必要な機能を含む）を含む。
【０１１７】
本開示の範囲から逸脱することなく、本明細書に開示されるシステムおよび装置に対する変更、追加または省略を行うことができる。システムおよび装置のコンポーネントは統合されてもよいし、分離されてもよい。さらに、システムおよび装置の動作はより多くの、より少ない、または他のコンポーネントによって行われてもよい。加えて、システムおよび装置の動作は、ソフトウエア、ハードウエアおよび／または他のロジックを含む任意の適切なロジックを用いて行われてもよい。本開示で用いられる場合、「各」は集合の各メンバ、または集合の部分集合の各メンバを指す。
【０１１８】
本開示の範囲から逸脱することなく、本明細書に記載される方法に対する変更、追加または省略を行うことができる。方法はより多くの、より少ない、または他のステップを含んでもよい。加えて、ステップは任意の適切な順序で行われてもよい。
【０１１９】
本開示を所定の実施の形態で説明したが、実施の形態の変更や置換は当業者には明らかであろう。したがって、実施の形態の上述の記載は本開示を制限するものではない。本開示の範囲から逸脱することなく、他の変形、代替および変更が可能である。
【図１】
2020515128.tif 000003
【図２】
2020515128.tif 000004
【図３】
2020515128.tif 000005
【図４】
2020515128.tif 000006
【図５】
2020515128.tif 000007
【図６】
2020515128.tif 000008
【図７】
2020515128.tif 000009
【図８】
2020515128.tif 000010
【図９】
2020515128.tif 000011
【図１０】
2020515128.tif 000012
【図１１】
2020515128.tif 000013
【図１２】
2020515128.tif 000014
【図１３】
2020515128.tif 000015
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
無線デバイス（３１０）における方法（７００）であって、
動作帯域における無線周波数（ＲＦ）キャリアの同期チャネル部分を特定すること（７０４）と、
前記ＲＦキャリアの前記特定された同期チャネル部分に対する、前記動作帯域における前記ＲＦキャリアの位置を決定するのに用いるシステム情報を取得すること（７０８）と、
前記ＲＦキャリアの前記特定された同期チャネル部分に対する、前記動作帯域における前記ＲＦキャリアの前記位置を、前記取得されたシステム情報に基づいて、決定すること（７１２）と、を含み、
前記動作帯域における前記ＲＦキャリアの前記位置がライセンスブロック内で中心になく、
前記方法はさらに、直交周波数分割多重（ＯＦＤＭ）シンボルの切り詰められた伝送を送信することまたは受信することのうちの少なくともひとつを含み、前記切り詰められた伝送が、前記伝送の少なくとも一方の側でブランクされたひとつ以上のサブキャリアを含む方法。
【請求項２】
前記動作帯域における前記ＲＦキャリアの前記同期チャネル部分を特定することが、
前記ＲＦキャリアの前記同期チャネル部分に関連付けられた同期チャネルラスタに基づいて複数の所定の同期ラスタポイントを決定することであって、前記複数の所定の同期ラスタポイントのそれぞれが、前記ＲＦキャリアの前記同期チャネル部分の可能な位置を定義する、決定することと、
前記複数の所定の同期ラスタポイントのうちのひとつ以上に対してセルサーチを実行することによって、前記ＲＦキャリアの前記同期チャネル部分を特定することと、を含む請求項１に記載の方法。
【請求項３】
システム情報を取得することが、システム情報メッセージを受信することを含む請求項１または２に記載の方法。
【請求項４】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項１から３のいずれか一項に記載の方法。
【請求項５】
前記システム情報の少なくとも一部は前記ＰＢＣＨに含まれる請求項４に記載の方法。
【請求項６】
前記取得されたシステム情報が、ひとつ以上のオフセット値を含む請求項１から５のいずれか一項に記載の方法。
【請求項７】
前記ひとつ以上のオフセット値が、少なくとも、前記ＲＦキャリアの前記同期チャネル部分から前記ＲＦキャリアの中心周波数までのオフセットを定義する第１オフセット値を含む請求項６に記載の方法。
【請求項８】
前記ＲＦキャリアの前記中心周波数が前記ＲＦキャリアに関連付けられたキャリアラスタのキャリアラスタポイントに対応する請求項７に記載の方法。
【請求項９】
以下のうちのひとつ以上を、前記取得されたシステム情報に基づいて決定することをさらに含む請求項１から８のいずれか一項に記載の方法。
前記ＲＦキャリアの帯域幅と；
ひとつ以上のデータチャネルのサブキャリア間隔
【請求項１０】
前記ＲＦキャリアを介したネットワークノードとの接続を確立することを含む請求項１から９のいずれか一項に記載の方法。
【請求項１１】
別の周波数の別のＲＦキャリアへのハンドオーバを行う指示を受信することを含む請求項１０に記載の方法。
【請求項１２】
ネットワークノード（３１５）における方法（８００）であって、
動作帯域におけるＲＦキャリアの、前記ＲＦキャリアの同期チャネル部分に対する位置を決定するために無線デバイス（３１０）によって用いられるシステム情報を決定すること（８０４）と、
前記決定されたシステム情報を前記無線デバイスに送信すること（８０８）と、を含み、
前記動作帯域における前記ＲＦキャリアの前記位置がライセンスブロック内で中心になく、
前記方法はさらに、直交周波数分割多重（ＯＦＤＭ）シンボルの切り詰められた伝送を送信することまたは受信することのうちの少なくともひとつを含み、前記切り詰められた伝送が、前記伝送の少なくとも一方の側でブランクされたひとつ以上のサブキャリアを含む方法。
【請求項１３】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項１２に記載の方法。
【請求項１４】
前記決定されたシステム情報を前記無線デバイスに送信することが、前記決定されたシステム情報の少なくとも一部を、前記無線デバイスに、前記ＰＢＣＨにおいて送信することを含む請求項１３に記載の方法。
【請求項１５】
前記決定されたシステム情報が、ひとつ以上のオフセット値を含む請求項１２から１４のいずれか一項に記載の方法。
【請求項１６】
前記ひとつ以上のオフセット値が、少なくとも、前記ＲＦキャリアの前記同期チャネル部分から前記ＲＦキャリアの中心周波数までのオフセットを定義する第１オフセット値を含む請求項１５に記載の方法。
【請求項１７】
前記ＲＦキャリアの前記中心周波数が前記ＲＦキャリアに関連付けられたキャリアラスタのキャリアラスタポイントに対応する請求項１６に記載の方法。
【請求項１８】
前記決定されたシステム情報が、以下のうちのひとつ以上を含む請求項１２から１７のいずれか一項に記載の方法。
前記ＲＦキャリアの帯域幅と；
ひとつ以上のデータチャネルのサブキャリア間隔
【請求項１９】
前記ＲＦキャリアを介した前記無線デバイスとの接続を確立することを含む請求項１２から１８のいずれか一項に記載の方法。
【請求項２０】
別の周波数の別のＲＦキャリアへのハンドオーバを行う指示を前記無線デバイスに送信することを含む請求項１９に記載の方法。
【請求項２１】
受信器（９１０、１２３０）と、
送信器（９１０、１２２０）と、
前記受信器と前記送信器とに結合された処理回路（９２０、１２１０）と、を備え、
前記処理回路は、
動作帯域における無線周波数（ＲＦ）キャリアの同期チャネル部分を特定すること（７０４）と、
前記ＲＦキャリアの前記特定された同期チャネル部分に対する、前記動作帯域における前記ＲＦキャリアの位置を決定するのに用いるシステム情報を取得すること（７０８）と、
前記ＲＦキャリアの前記特定された同期チャネル部分に対する、前記動作帯域における前記ＲＦキャリアの前記位置を、前記取得されたシステム情報に基づいて、決定すること（７１２）と、を行うよう構成され、
前記動作帯域における前記ＲＦキャリアの前記位置がライセンスブロック内で中心になく、
前記処理回路は、直交周波数分割多重（ＯＦＤＭ）シンボルの切り詰められた伝送を、前記送信器を介して送信するよう、および／または、前記受信器を介して受信するよう構成され、前記切り詰められた伝送が、前記伝送の少なくとも一方の側でブランクされたひとつ以上のサブキャリアを含む無線デバイス（３１０）。
【請求項２２】
前記動作帯域における前記ＲＦキャリアの前記同期チャネル部分を特定するよう前記処理回路が構成されることが、
前記ＲＦキャリアの前記同期チャネル部分に関連付けられた同期チャネルラスタに基づいて複数の所定の同期ラスタポイントを決定することであって、前記複数の所定の同期ラスタポイントのそれぞれが、前記ＲＦキャリアの前記同期チャネル部分の可能な位置を定義する、決定することと、
前記複数の所定の同期ラスタポイントのうちのひとつ以上に対してセルサーチを実行することによって、前記ＲＦキャリアの前記同期チャネル部分を特定することと、を行うよう前記処理回路が構成されることを含む請求項２１に記載の無線デバイス。
【請求項２３】
システム情報を取得するよう前記処理回路が構成されることが、前記受信器を介してシステム情報メッセージを受信することを行うよう前記処理回路が構成されることを含む請求項２１または２２に記載の無線デバイス。
【請求項２４】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項２１から２３のいずれか一項に記載の無線デバイス。
【請求項２５】
前記システム情報の少なくとも一部は前記ＰＢＣＨに含まれる請求項２４に記載の無線デバイス。
【請求項２６】
前記取得されたシステム情報が、ひとつ以上のオフセット値を含む請求項２１から２５のいずれか一項に記載の無線デバイス。
【請求項２７】
前記ひとつ以上のオフセット値が、少なくとも、前記ＲＦキャリアの前記同期チャネル部分から前記ＲＦキャリアの中心周波数までのオフセットを定義する第１オフセット値を含む請求項２６に記載の無線デバイス。
【請求項２８】
前記ＲＦキャリアの前記中心周波数が前記ＲＦキャリアに関連付けられたキャリアラスタのキャリアラスタポイントに対応する請求項２７に記載の無線デバイス。
【請求項２９】
前記処理回路が、さらに、以下のうちのひとつ以上を、前記取得されたシステム情報に基づいて決定するよう構成される請求項２１から２８のいずれか一項に記載の無線デバイス。
前記ＲＦキャリアの帯域幅と；
ひとつ以上のデータチャネルのサブキャリア間隔
【請求項３０】
前記処理回路が、さらに、前記ＲＦキャリアを介したネットワークノードとの接続を確立するよう構成される請求項２１から２９のいずれか一項に記載の無線デバイス。
【請求項３１】
前記処理回路は、別の周波数の別のＲＦキャリアへのハンドオーバを行う指示を、前記受信器を介して、受信するよう構成される請求項３０に記載の無線デバイス。
【請求項３２】
受信器（１０１０、１３３０）と、
送信器（１０１０、１３２０）と、
前記受信器と前記送信器とに結合された処理回路（１０２０、１３１０）と、を備え、
前記処理回路は、
動作帯域におけるＲＦキャリアの、前記ＲＦキャリアの同期チャネル部分に対する位置を決定するために無線デバイス（３１０）によって用いられるシステム情報を決定すること（８０４）と、
前記決定されたシステム情報を前記無線デバイスに、前記送信器を介して送信すること（８０８）と、を行うよう構成され、
前記動作帯域における前記ＲＦキャリアの前記位置がライセンスブロック内で中心になく、
前記処理回路は、直交周波数分割多重（ＯＦＤＭ）シンボルの切り詰められた伝送を、前記送信器を介して送信するよう、および／または、前記受信器を介して受信するよう構成され、前記切り詰められた伝送が、前記伝送の少なくとも一方の側でブランクされたひとつ以上のサブキャリアを含むネットワークノード（３１５）。
【請求項３３】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項３２に記載のネットワークノード。
【請求項３４】
前記決定されたシステム情報を前記無線デバイスに送信するよう前記処理回路が構成されることが、前記決定されたシステム情報の少なくとも一部を、前記無線デバイスに、前記ＰＢＣＨにおいて、前記送信器を介して送信するよう前記処理回路が構成されることを含む請求項３３に記載のネットワークノード。
【請求項３５】
前記決定されたシステム情報が、ひとつ以上のオフセット値を含む請求項３２から３４のいずれか一項に記載のネットワークノード。
【請求項３６】
前記ひとつ以上のオフセット値が、少なくとも、前記ＲＦキャリアの前記同期チャネル部分から前記ＲＦキャリアの中心周波数までのオフセットを定義する第１オフセット値を含む請求項３５に記載のネットワークノード。
【請求項３７】
前記ＲＦキャリアの前記中心周波数が前記ＲＦキャリアに関連付けられたキャリアラスタのキャリアラスタポイントに対応する請求項３６に記載のネットワークノード。
【請求項３８】
前記決定されたシステム情報が、以下のうちのひとつ以上を含む請求項３２から３７のいずれか一項に記載のネットワークノード。
前記ＲＦキャリアの帯域幅と；
ひとつ以上のデータチャネルのサブキャリア間隔
【請求項３９】
前記処理回路が、さらに、前記ＲＦキャリアを介した前記無線デバイスとの接続を確立するよう構成される請求項３２から３８のいずれか一項に記載のネットワークノード。
【請求項４０】
前記処理回路は、さらに、別の周波数の別のＲＦキャリアへのハンドオーバを行う指示を、前記無線デバイスに、前記送信器を介して、送信するよう構成される請求項３９に記載のネットワークノード。
【請求項４１】
コンピュータプログラムであって、前記コンピュータプログラムは、
動作帯域における無線周波数（ＲＦ）キャリアの同期チャネル部分を特定すること（７０４）と、
前記ＲＦキャリアの前記特定された同期チャネル部分に対する、前記動作帯域における前記ＲＦキャリアの位置を決定するのに用いるシステム情報を取得すること（７０８）と、
前記ＲＦキャリアの前記特定された同期チャネル部分に対する、前記動作帯域における前記ＲＦキャリアの前記位置を、前記取得されたシステム情報に基づいて、決定すること（７１２）と、を行うよう構成されたインストラクションを含み、
前記動作帯域における前記ＲＦキャリアの前記位置がライセンスブロック内で中心になく、
前記コンピュータプログラムはさらに、直交周波数分割多重（ＯＦＤＭ）シンボルの切り詰められた伝送を送信するようおよび／または受信するよう構成されたインストラクションを含み、前記切り詰められた伝送が、前記伝送の少なくとも一方の側でブランクされたひとつ以上のサブキャリアを含むコンピュータプログラム。
【請求項４２】
前記動作帯域における前記ＲＦキャリアの前記同期チャネル部分を特定することを行うよう前記インストラクションが構成されることが、
前記ＲＦキャリアの前記同期チャネル部分に関連付けられた同期チャネルラスタに基づいて複数の所定の同期ラスタポイントを決定することであって、前記複数の所定の同期ラスタポイントのそれぞれが、前記ＲＦキャリアの前記同期チャネル部分の可能な位置を定義する、決定することと、
前記複数の所定の同期ラスタポイントのうちのひとつ以上に対してセルサーチを実行することによって、前記ＲＦキャリアの前記同期チャネル部分を特定することと、を行うよう前記インストラクションが構成されることを含む請求項４１に記載のコンピュータプログラム。
【請求項４３】
システム情報を取得することを行うよう前記インストラクションが構成されることが、システム情報メッセージを受信することを行うよう前記インストラクションが構成されることを含む請求項４１または４２に記載のコンピュータプログラム。
【請求項４４】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項４１から４３のいずれか一項に記載のコンピュータプログラム。
【請求項４５】
前記システム情報の少なくとも一部は前記ＰＢＣＨに含まれる請求項４４に記載のコンピュータプログラム。
【請求項４６】
前記取得されたシステム情報が、ひとつ以上のオフセット値を含む請求項４１から４５のいずれか一項に記載のコンピュータプログラム。
【請求項４７】
前記ひとつ以上のオフセット値が、少なくとも、前記ＲＦキャリアの前記同期チャネル部分から前記ＲＦキャリアの中心周波数までのオフセットを定義する第１オフセット値を含む請求項４６に記載のコンピュータプログラム。
【請求項４８】
前記ＲＦキャリアの前記中心周波数が前記ＲＦキャリアに関連付けられたキャリアラスタのキャリアラスタポイントに対応する請求項４７に記載のコンピュータプログラム。
【請求項４９】
前記取得されたシステム情報に基づいて、以下のうちのひとつ以上を決定することを行うよう構成されたインストラクションさらに含む請求項４１から４８のいずれか一項に記載のコンピュータプログラム。
前記ＲＦキャリアの帯域幅と；
ひとつ以上のデータチャネルのサブキャリア間隔
【請求項５０】
前記ＲＦキャリアを介したネットワークノードとの接続を確立することを行うよう構成されたインストラクションさらに含む請求項４１から４９のいずれか一項に記載のコンピュータプログラム。
【請求項５１】
別の周波数の別のＲＦキャリアへのハンドオーバを行う指示を受信することを行うよう構成されたインストラクションさらに含む請求項５０に記載のコンピュータプログラム。
【請求項５２】
コンピュータプログラム製品であって、前記コンピュータプログラム製品が非一時的コンピュータ可読ストレージ媒体を含み、前記非一時的コンピュータ可読ストレージ媒体がコンピュータプログラムを含み、前記コンピュータプログラムがコンピュータ実行可能インストラクションを含み、前記コンピュータ実行可能インストラクションは、プロセッサで実行された場合、
動作帯域における無線周波数（ＲＦ）キャリアの同期チャネル部分を特定すること（７０４）と、
前記ＲＦキャリアの前記特定された同期チャネル部分に対する、前記動作帯域における前記ＲＦキャリアの位置を決定するのに用いるシステム情報を取得すること（７０８）と、
前記ＲＦキャリアの前記特定された同期チャネル部分に対する、前記動作帯域における前記ＲＦキャリアの前記位置を、前記取得されたシステム情報に基づいて、決定すること（７１２）と、を行うよう構成され、
前記動作帯域における前記ＲＦキャリアの前記位置がライセンスブロック内で中心になく、
前記コンピュータプログラムはさらに、直交周波数分割多重（ＯＦＤＭ）シンボルの切り詰められた伝送を送信するようおよび／または受信するよう構成されたインストラクションを含み、前記切り詰められた伝送が、前記伝送の少なくとも一方の側でブランクされたひとつ以上のサブキャリアを含むコンピュータプログラム製品。
【請求項５３】
前記動作帯域における前記ＲＦキャリアの前記同期チャネル部分を特定することを行うよう前記インストラクションが構成されることが、
前記ＲＦキャリアの前記同期チャネル部分に関連付けられた同期チャネルラスタに基づいて複数の所定の同期ラスタポイントを決定することであって、前記複数の所定の同期ラスタポイントのそれぞれが、前記ＲＦキャリアの前記同期チャネル部分の可能な位置を定義する、決定することと、
前記複数の所定の同期ラスタポイントのうちのひとつ以上に対してセルサーチを実行することによって、前記ＲＦキャリアの前記同期チャネル部分を特定することと、を行うよう前記インストラクションが構成されることを含む請求項５２に記載のコンピュータプログラム製品。
【請求項５４】
システム情報を取得することを行うよう前記インストラクションが構成されることが、
システム情報メッセージを受信することを行うよう前記インストラクションが構成されることを含む請求項５２または５３に記載のコンピュータプログラム製品。
【請求項５５】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項５２から５４のいずれか一項に記載のコンピュータプログラム製品。
【請求項５６】
前記システム情報の少なくとも一部は前記ＰＢＣＨに含まれる請求項５５に記載のコンピュータプログラム製品。
【請求項５７】
前記取得されたシステム情報が、ひとつ以上のオフセット値を含む請求項５２から５６のいずれか一項に記載のコンピュータプログラム製品。
【請求項５８】
前記ひとつ以上のオフセット値が、少なくとも、前記ＲＦキャリアの前記同期チャネル部分から前記ＲＦキャリアの中心周波数までのオフセットを定義する第１オフセット値を含む請求項５７に記載のコンピュータプログラム製品。
【請求項５９】
前記ＲＦキャリアの前記中心周波数が前記ＲＦキャリアに関連付けられたキャリアラスタのキャリアラスタポイントに対応する請求項５８に記載のコンピュータプログラム製品。
【請求項６０】
前記取得されたシステム情報に基づいて、以下のうちのひとつ以上を決定することを行うよう構成されたインストラクションさらに含む請求項５２から５９のいずれか一項に記載のコンピュータプログラム製品。
前記ＲＦキャリアの帯域幅と；
ひとつ以上のデータチャネルのサブキャリア間隔
【請求項６１】
前記ＲＦキャリアを介したネットワークノードとの接続を確立することを行うよう構成されたインストラクションさらに含む請求項５２から６０のいずれか一項に記載のコンピュータプログラム製品。
【請求項６２】
別の周波数の別のＲＦキャリアへのハンドオーバを行う指示を受信することを行うよう構成されたインストラクションさらに含む請求項６１に記載のコンピュータプログラム製品。
【請求項６３】
コンピュータプログラムであって、前記コンピュータプログラムは、
動作帯域におけるＲＦキャリアの、前記ＲＦキャリアの同期チャネル部分に対する位置を決定するために無線デバイス（３１０）によって用いられるシステム情報を決定すること（８０４）と、
前記決定されたシステム情報を前記無線デバイスに送信すること（８０８）と、を行うよう構成されたインストラクションを含み、
前記動作帯域における前記ＲＦキャリアの前記位置がライセンスブロック内で中心になく、
前記コンピュータプログラムはさらに、直交周波数分割多重（ＯＦＤＭ）シンボルの切り詰められた伝送を送信するようおよび／または受信するよう構成されたインストラクションを含み、前記切り詰められた伝送が、前記伝送の少なくとも一方の側でブランクされたひとつ以上のサブキャリアを含むコンピュータプログラム。
【請求項６４】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項６３に記載のコンピュータプログラム。
【請求項６５】
前記決定されたシステム情報を前記無線デバイスに送信するよう前記インストラクションが構成されることが、
前記決定されたシステム情報の少なくとも一部を、前記無線デバイスに、前記ＰＢＣＨにおいて送信することを行うよう前記インストラクションが構成されることを含む請求項６４に記載のコンピュータプログラム。
【請求項６６】
前記決定されたシステム情報が、ひとつ以上のオフセット値を含む請求項６３から６５のいずれか一項に記載のコンピュータプログラム。
【請求項６７】
前記ひとつ以上のオフセット値が、少なくとも、前記ＲＦキャリアの前記同期チャネル部分から前記ＲＦキャリアの中心周波数までのオフセットを定義する第１オフセット値を含む請求項６６に記載のコンピュータプログラム。
【請求項６８】
前記ＲＦキャリアの前記中心周波数が前記ＲＦキャリアに関連付けられたキャリアラスタのキャリアラスタポイントに対応する請求項６７に記載のコンピュータプログラム。
【請求項６９】
前記決定されたシステム情報が、以下のうちのひとつ以上を含む請求項６３から６８のいずれか一項に記載のコンピュータプログラム。
前記ＲＦキャリアの帯域幅と；
ひとつ以上のデータチャネルのサブキャリア間隔
【請求項７０】
前記ＲＦキャリアを介した前記無線デバイスとの接続を確立することを行うよう構成されたインストラクションさらに含む請求項６３から６９のいずれか一項に記載のコンピュータプログラム。
【請求項７１】
別の周波数の別のＲＦキャリアへのハンドオーバを行う指示を前記無線デバイスに送信することを行うよう構成されたインストラクションさらに含む請求項７０に記載のコンピュータプログラム。
【請求項７２】
コンピュータプログラム製品であって、前記コンピュータプログラム製品が非一時的コンピュータ可読ストレージ媒体を含み、前記非一時的コンピュータ可読ストレージ媒体がコンピュータプログラムを含み、前記コンピュータプログラムがコンピュータ実行可能インストラクションを含み、前記コンピュータ実行可能インストラクションは、プロセッサで実行された場合、
動作帯域におけるＲＦキャリアの、前記ＲＦキャリアの同期チャネル部分に対する位置を決定するために無線デバイス（３１０）によって用いられるシステム情報を決定すること（８０４）と、
前記決定されたシステム情報を前記無線デバイスに送信すること（８０８）と、を行うよう構成され、
前記動作帯域における前記ＲＦキャリアの前記位置がライセンスブロック内で中心になく、
前記コンピュータプログラムはさらに、直交周波数分割多重（ＯＦＤＭ）シンボルの切り詰められた伝送を送信するようおよび／または受信するよう構成されたインストラクションを含み、前記切り詰められた伝送が、前記伝送の少なくとも一方の側でブランクされたひとつ以上のサブキャリアを含むコンピュータプログラム製品。
【請求項７３】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項７２に記載のコンピュータプログラム製品。
【請求項７４】
前記決定されたシステム情報を前記無線デバイスに送信するよう前記インストラクションが構成されることが、
前記決定されたシステム情報の少なくとも一部を、前記無線デバイスに、前記ＰＢＣＨにおいて送信することを行うよう前記インストラクションが構成されることを含む請求項７３に記載のコンピュータプログラム製品。
【請求項７５】
前記決定されたシステム情報が、ひとつ以上のオフセット値を含む請求項７２から７４のいずれか一項に記載のコンピュータプログラム製品。
【請求項７６】
前記ひとつ以上のオフセット値が、少なくとも、前記ＲＦキャリアの前記同期チャネル部分から前記ＲＦキャリアの中心周波数までのオフセットを定義する第１オフセット値を含む請求項７５に記載のコンピュータプログラム製品。
【請求項７７】
前記ＲＦキャリアの前記中心周波数が前記ＲＦキャリアに関連付けられたキャリアラスタのキャリアラスタポイントに対応する請求項７６に記載のコンピュータプログラム製品。
【請求項７８】
前記決定されたシステム情報が、以下のうちのひとつ以上を含む請求項７２から７７のいずれか一項に記載のコンピュータプログラム製品。
前記ＲＦキャリアの帯域幅と；
ひとつ以上のデータチャネルのサブキャリア間隔
【請求項７９】
前記ＲＦキャリアを介した前記無線デバイスとの接続を確立することを行うよう構成されたインストラクションさらに含む請求項７２から７８のいずれか一項に記載のコンピュータプログラム製品。
【請求項８０】
別の周波数の別のＲＦキャリアへのハンドオーバを行う指示を前記無線デバイスに送信することを行うよう構成されたインストラクションさらに含む請求項７９に記載のコンピュータプログラム製品。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
無線デバイス（３１０）における方法（７００）であって、
動作帯域における無線周波数（ＲＦ）キャリアの同期チャネル部分を特定すること（７０４）と、
前記ＲＦキャリアの前記特定された同期チャネル部分に対する、前記動作帯域における前記ＲＦキャリアの位置を決定するのに用いるシステム情報を取得すること（７０８）と、
前記ＲＦキャリアの前記特定された同期チャネル部分に対する、前記動作帯域における前記ＲＦキャリアの前記位置を、前記取得されたシステム情報に基づいて、決定すること（７１２）と、を含み、
前記動作帯域における前記ＲＦキャリアの前記位置がライセンスブロック内で中心になく、
前記方法はさらに、直交周波数分割多重（ＯＦＤＭ）シンボルの切り詰められた伝送を送信することまたは受信することのうちの少なくともひとつを含み、前記切り詰められた伝送が、前記伝送の少なくとも一方の側でブランクされたひとつ以上のサブキャリアを含む方法。
【請求項２】
前記動作帯域における前記ＲＦキャリアの前記同期チャネル部分を特定することが、
前記ＲＦキャリアの前記同期チャネル部分に関連付けられた同期チャネルラスタに基づいて複数の所定の同期ラスタポイントを決定することであって、前記複数の所定の同期ラスタポイントのそれぞれが、前記ＲＦキャリアの前記同期チャネル部分の可能な位置を定義する、決定することと、
前記複数の所定の同期ラスタポイントのうちのひとつ以上に対してセルサーチを実行することによって、前記ＲＦキャリアの前記同期チャネル部分を特定することと、を含む請求項１に記載の方法。
【請求項３】
システム情報を取得することが、システム情報メッセージを受信することを含む請求項１または２に記載の方法。
【請求項４】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項１から３のいずれか一項に記載の方法。
【請求項５】
前記システム情報の少なくとも一部は前記ＰＢＣＨに含まれる請求項４に記載の方法。
【請求項６】
前記取得されたシステム情報が、ひとつ以上のオフセット値を含む請求項１から５のいずれか一項に記載の方法。
【請求項７】
前記ひとつ以上のオフセット値が、少なくとも、前記ＲＦキャリアの前記同期チャネル部分から前記ＲＦキャリアの中心周波数までのオフセットを定義する第１オフセット値を含む請求項６に記載の方法。
【請求項８】
前記ＲＦキャリアの前記中心周波数が前記ＲＦキャリアに関連付けられたキャリアラスタのキャリアラスタポイントに対応する請求項７に記載の方法。
【請求項９】
以下のうちのひとつ以上を、前記取得されたシステム情報に基づいて決定することをさらに含む請求項１から８のいずれか一項に記載の方法。
前記ＲＦキャリアの帯域幅と；
ひとつ以上のデータチャネルのサブキャリア間隔。
【請求項１０】
前記ＲＦキャリアを介したネットワークノードとの接続を確立することを含む請求項１から９のいずれか一項に記載の方法。
【請求項１１】
別の周波数の別のＲＦキャリアへのハンドオーバを行う指示を受信することを含む請求項１０に記載の方法。
【請求項１２】
ネットワークノード（３１５）における方法（８００）であって、
動作帯域におけるＲＦキャリアの、前記ＲＦキャリアの同期チャネル部分に対する位置を決定するために無線デバイス（３１０）によって用いられるシステム情報を決定すること（８０４）と、
前記決定されたシステム情報を前記無線デバイスに送信すること（８０８）と、を含み、
前記動作帯域における前記ＲＦキャリアの前記位置がライセンスブロック内で中心になく、
前記方法はさらに、直交周波数分割多重（ＯＦＤＭ）シンボルの切り詰められた伝送を送信することまたは受信することのうちの少なくともひとつを含み、前記切り詰められた伝送が、前記伝送の少なくとも一方の側でブランクされたひとつ以上のサブキャリアを含む方法。
【請求項１３】
前記ＲＦキャリアの前記同期チャネル部分が、物理報知チャネル（ＰＢＣＨ）と一緒に送信されるプライマリ同期信号とセカンダリ同期信号とを有する同期信号ブロックを含む請求項１２に記載の方法。
【請求項１４】
前記決定されたシステム情報を前記無線デバイスに送信することが、前記決定されたシステム情報の少なくとも一部を、前記無線デバイスに、前記ＰＢＣＨにおいて送信することを含む請求項１３に記載の方法。
【請求項１５】
前記決定されたシステム情報が、ひとつ以上のオフセット値を含む請求項１２から１４のいずれか一項に記載の方法。
【請求項１６】
前記ひとつ以上のオフセット値が、少なくとも、前記ＲＦキャリアの前記同期チャネル部分から前記ＲＦキャリアの中心周波数までのオフセットを定義する第１オフセット値を含む請求項１５に記載の方法。
【請求項１７】
前記ＲＦキャリアの前記中心周波数が前記ＲＦキャリアに関連付けられたキャリアラスタのキャリアラスタポイントに対応する請求項１６に記載の方法。
【請求項１８】
前記決定されたシステム情報が、以下のうちのひとつ以上を含む請求項１２から１７のいずれか一項に記載の方法。
前記ＲＦキャリアの帯域幅と；
ひとつ以上のデータチャネルのサブキャリア間隔。
【請求項１９】
前記ＲＦキャリアを介した前記無線デバイスとの接続を確立することを含む請求項１２から１８のいずれか一項に記載の方法。
【請求項２０】
別の周波数の別のＲＦキャリアへのハンドオーバを行う指示を前記無線デバイスに送信することを含む請求項１９に記載の方法。
【請求項２１】
受信器（９１０、１２３０）と、
送信器（９１０、１２２０）と、
前記受信器と前記送信器とに結合された処理回路（９２０、１２１０）と、を備え、
前記処理回路は、請求項１から１１のいずれか一項に記載の方法を行うよう構成される無線デバイス（３１０）。
【請求項２２】
受信器（１０１０、１３３０）と、
送信器（１０１０、１３２０）と、
前記受信器と前記送信器とに結合された処理回路（１０２０、１３１０）と、を備え、
前記処理回路は、請求項１２から２０のいずれか一項に記載の方法を行うよう構成されるネットワークノード（３１５）。
【請求項２３】
請求項１から１１のいずれか一項に記載の方法を行うよう構成されたインストラクションを含むコンピュータプログラム。
【請求項２４】
請求項１２から２０のいずれか一項に記載の方法を行うよう構成されたインストラクションを含むコンピュータプログラム。
【国際調査報告】
2020515128.tif 000016
2020515128.tif 000017
2020515128.tif 000018
2020515128.tif 000019